(57)【要約】【課題】携帯性及び操作性に優れたヘッドマウントディスプレイを提供する。【解決手段】本技術の一形態に係るヘッドマウントディスプレイは、本体と、入力操作部と、を具備する。上記本体は、画像をユーザに提示するように構成された表示部を有し、ユーザの頭部に装着可能に構成される。上記入力操作部は、第１の軸方向に延在し上記本体に配置され、上記第１の軸方向における操作位置を静電的に検出する第１の検出素子と、ユーザの上記第１の検出素子上での上記第１の軸方向に沿った入力操作を誘導する第１の案内部と、を有し、上記画像を制御する。【選択図】図１
2013136696.tif 000002
【特許請求の範囲】
【請求項１】
画像をユーザに提示するように構成された表示部を有し、ユーザの頭部に装着可能に構成された本体と、
第１の軸方向に延在し前記本体に配置され、前記第１の軸方向における操作位置を静電的に検出する第１の検出素子と、ユーザの前記第１の検出素子上での前記第１の軸方向に沿った入力操作を誘導する第１の案内部と、を有し、前記画像を制御するための入力操作部と
を具備するヘッドマウントディスプレイ。
【請求項２】
請求項１に記載のヘッドマウントディスプレイであって、
前記第１の案内部は、前記第１の軸方向に沿って前記第１の検出素子の上に配置される少なくとも１本の稜線を含む
ヘッドマウントディスプレイ。
【請求項３】
請求項２に記載のヘッドマウントディスプレイであって、
前記第１の案内部は、前記第１の軸方向に沿って延在する第１の面と、前記第１の面から突出し前記第１の面を挟んで前記第１の軸方向に沿って延在する２つの第２の面と、を有し、
前記稜線は、前記第１の面と前記２つの第２の面との境界にそれぞれ形成される２本の稜線を含む
ヘッドマウントディスプレイ。
【請求項４】
請求項２に記載のヘッドマウントディスプレイであって、
前記第１の案内部は、前記第１の軸方向に沿って延在する第１の面と、前記第１の面から沈降し前記第１の面を挟んで前記第１の軸方向に沿って延在する２つの第２の面と、を有し、
前記稜線は、前記第１の面と前記２つの第２の面との境界にそれぞれ形成される２本の稜線を含む
ヘッドマウントディスプレイ。
【請求項５】
請求項１に記載のヘッドマウントディスプレイであって、
前記第１の案内部は、前記第１の軸方向に沿って配列された複数の第１の面と、前記複数の第１の面から突出し前記第１の軸方向に沿って前記複数の第１の面と交互に配置された複数の第２の面とを有し、
前記第１の案内部は、前記複数の第２の面と前記複数の第１の面との境界にそれぞれ形成される複数の稜線を含む
ヘッドマウントディスプレイ。
【請求項６】
請求項１に記載のヘッドマウントディスプレイであって、
前記本体は、ユーザの側頭部に配置されるテンプル部を有し、
前記第１の検出素子は、前記テンプル部に配置される
ヘッドマウントディスプレイ。
【請求項７】
請求項６に記載のヘッドマウントディスプレイであって、
前記テンプル部は、前記第１の軸方向に延在する縁部を有し、
前記第１の検出素子は、前記縁部に沿って配置され、
前記第１の案内部は、前記縁部を含む
ヘッドマウントディスプレイ。
【請求項８】
請求項１に記載のヘッドマウントディスプレイであって、
前記表示部は、前記画像を表示する板状の光学部材を有し、
前記本体は、前記光学部材の周縁を支持するリム部を有し、
前記第１の検出素子は、前記リム部に配置される
ヘッドマウントディスプレイ。
【請求項９】
請求項１に記載のヘッドマウントディスプレイであって、
前記表示部は、前記画像を表示する板状の光学部材を有し、
前記第１の検出素子は、前記光学部材に配置される
ヘッドマウントディスプレイ。
【請求項１０】
請求項１に記載のヘッドマウントディスプレイであって、
前記入力操作部は、前記操作位置に対応する前記画像上の座標位置を算出し、前記座標位置に基づいて前記画像上に表示されるポインタの移動を制御する制御部をさらに有する
ヘッドマウントディスプレイ。
【請求項１１】
請求項１０に記載のヘッドマウントディスプレイであって、
前記制御部は、前記座標位置に基づく処理を実行し前記処理結果に応じた画像信号を生成して前記表示部へ出力し、
前記入力操作部は、押圧可能に構成され、前記処理の実行を決定するための押圧信号を前記制御部に出力するスイッチをさらに有する
ヘッドマウントディスプレイ。
【請求項１２】
請求項１１に記載のヘッドマウントディスプレイであって、
前記入力操作部は、前記本体と前記第１の検出素子との間に間隙を形成するように配置される複数のスペーサをさらに有し、
前記スイッチは、前記間隙に配置され、前記第１の検出素子上から押圧可能に構成される
ヘッドマウントディスプレイ。
【請求項１３】
請求項１１に記載のヘッドマウントディスプレイであって、
前記スイッチは、前記第１の検出素子上に前記第１の軸方向に沿って延在する少なくとも１つの突部を有し、
前記第１の案内部は、前記突部に形成される稜線を含む
ヘッドマウントディスプレイ。
【請求項１４】
請求項１に記載のヘッドマウントディスプレイであって、
前記入力操作部は、前記第１の軸方向とは異なる第２の軸方向に延在し前記本体に配置され、前記第２の軸方向における操作位置を検出する第２の検出素子と、ユーザの前記第２の検出素子上での前記第２の軸方向に沿った入力操作を誘導する第２の案内部と、をさらに有する
ヘッドマウントディスプレイ。
【発明の詳細な説明】
【技術分野】
【０００１】
本技術は、ヘッドマウントディスプレイに関する。
【背景技術】
【０００２】
ユーザの頭部に装着され、眼前に配置されたディスプレイ等によってユーザ個人に画像を提示することが可能な、ヘッドマウントディスプレイ（ＨＭＤ）が知られている。ＨＭＤにおける表示画像の制御は、一般的に、ＨＭＤ、あるいはＨＭＤと接続された専用の入力装置等に配置されたボタンの押圧操作等により行われる（特許文献１参照）。
【先行技術文献】
【特許文献】
【０００３】
【特許文献１】特開２００８−７０８１７号公報
【発明の概要】
【発明が解決しようとする課題】
【０００４】
しかしながら、専用の入力装置等を用いて入力操作を行う場合は、ＨＭＤとともに入力装置等も持ち運ぶ必要があり、携帯性の面で不利であった。また、ＨＭＤに入力装置としてボタン等を配置する場合は、配置できるボタン等の数によって入力操作のバリエーションが制限されるとともに、当該ボタン等の占有面積が大きくなり、デザイン性にも影響を及ぼすことがあった。さらに、ユーザがＨＭＤを装着して入力操作を行う場合は、ＨＭＤに配置された当該入力装置を視認できないため、操作を誤る可能性もあった。【０００５】
以上のような事情に鑑み、本技術の目的は、携帯性及び操作性に優れたヘッドマウントディスプレイを提供することにある。
【課題を解決するための手段】
【０００６】
上記目的を達成するため、本技術の一形態に係るヘッドマウントディスプレイは、本体と、入力操作部と、を具備する。
上記本体は、画像をユーザに提示するように構成された表示部を有し、ユーザの頭部に装着可能に構成される。
上記入力操作部は、第１の軸方向に延在し上記本体に配置され、上記第１の軸方向における操作位置を静電的に検出する第１の検出素子と、ユーザの上記第１の検出素子上での上記第１の軸方向に沿った入力操作を誘導する第１の案内部と、を有し、上記画像を制御する。【０００７】
上記ヘッドマウントディスプレイは、入力操作部の第１の検出素子が本体に配置されているため、別個の入力装置等が不要となり、携帯性を向上させることができる。また、上記入力操作部が第１の案内部を有するため、ユーザが第１の検出素子を視認できなくとも入力操作を円滑に行うことが可能となり、操作性を向上させることが可能となる。【０００８】
上記第１の案内部は、上記第１の軸方向に沿って上記第１の検出素子の上に配置される少なくとも１本の稜線を含んでもよい。
これにより、上記第１の案内部は、ユーザに上記稜線を触知させることで上記第１の検出素子の配置及び第１の軸方向を認識させることが可能となる。【０００９】
例えば、上記第１の案内部は、上記第１の軸方向に沿って延在する第１の面と、上記第１の面から突出し上記第１の面を挟んで上記第１の軸方向に沿って延在する２つの第２の面と、を有し、上記稜線は、上記第１の面と上記２つの第２の面との境界にそれぞれ形成される２本の稜線を含んでもよい。
あるいは、上記第１の案内部は、上記第１の軸方向に沿って延在する第１の面と、上記第１の面から沈降し上記第１の面を挟んで上記第１の軸方向に沿って延在する２つの第２の面と、を有し、上記稜線は、上記第１の面と上記２つの第２の面との境界にそれぞれ形成される２本の稜線を含んでもよい。【００１０】
上記第１の案内部は、それぞれ第１の軸方向に延在する第１の面と、第２の面とを有し、これらの境界には段差が形成される。このような構成により、当該段差に触知可能な２本の稜線が形成され、ユーザに第１の検出素子の配置及び第１の軸方向を認識させることが可能となる。さらに、第１の面と第２の面とによって形成される溝あるいは突起等の構造によっても、第１の軸方向に沿った入力操作を誘導することができる。【００１１】
上記第１の案内部は、上記第１の軸方向に沿って配列された複数の第１の面と、上記複数の第１の面から突出し上記第１の軸方向に沿って上記複数の第１の面と交互に配置された複数の第２の面とを有し、上記第１の案内部は、上記複数の第２の面と上記複数の第１の面との境界にそれぞれ形成される複数の稜線を含んでもよい。
上記第１の案内部は、第１の軸方向に沿って複数の稜線が配列されている。したがって、ユーザに複数の稜線を触知させることにより、配列方向である第１の軸方向を認識させることが可能になる。さらに、ユーザに複数の稜線の配列間隔を認識させることで、第１の検出素子上における入力操作時の相対的な移動距離も把握させることが可能となる。【００１２】
上記本体は、ユーザの側頭部に配置されるテンプル部を有し、上記第１の検出素子は、上記テンプル部に配置されてもよい。
さらに、上記テンプル部は、上記第１の軸方向に延在する縁部を有し、上記第１の検出素子は、上記縁部に沿って配置され、上記第１の案内部は、上記縁部を含んでもよい。
これにより、テンプル部の細長な構成を利用して第１の検出素子を配置することができる。また、テンプル部の縁部を第１の案内部とすることにより、第１の案内部を別個に設けることなく、ユーザに第１の検出素子の配置及び第１の軸方向を認識させることが可能となる。【００１３】
上記表示部は、上記画像を表示する板状の光学部材を有し、上記本体は、上記光学部材の周縁を支持するリム部を有し、上記第１の検出素子は、上記リム部に配置されてもよい。
また、上記表示部は、上記画像を表示する板状の光学部材を有し、上記第１の検出素子は、上記光学部材に配置されてもよい。
これにより、リム部または光学部材の構成を利用して第１の検出素子を配置することができる。【００１４】
上記入力操作部は、上記操作位置に対応する上記画像上の座標位置を算出し、上記座標位置に基づいて上記画像上に表示されるポインタの移動を制御する制御部をさらに有してもよい。
上記制御部により、上記第１の検出素子上の位置及び第１の軸方向に沿った移動に応じて、ユーザに提示される画像上に表示されるポインタを移動させることが可能になる。【００１５】
さらに、上記制御部は、上記座標位置に基づく処理を実行し上記処理結果に応じた画像信号を生成して上記表示部へ出力し、上記入力操作部は、押圧可能に構成され、上記処理の実行を決定するための押圧信号を上記制御部に出力するスイッチをさらに有してもよい。
これにより、ユーザは、ＨＭＤによって提示される画像上の所望のＧＵＩ（指示項目）、アイコン等を選択し、それらに割り当てられた処理の実行を決定することが可能となる。【００１６】
上記入力操作部は、上記本体と上記第１の検出素子との間に間隙を形成するように配置される複数のスペーサをさらに有し、上記スイッチは、上記間隙に配置され、上記第１の検出素子上から押圧可能に構成されてもよい。
これにより、第１の検出素子上での押し込み操作により、上記処理の実行を決定することが容易となる。【００１７】
上記スイッチは、上記第１の検出素子上に上記第１の軸方向に沿って延在する少なくとも１つの突部を有し、上記第１の案内部は、上記突部に形成される稜線を含んでもよい。
これにより、第１の案内部とスイッチとを共通に形成することができ、省スペースかつ簡易な構成とすることができる。【００１８】
上記第１の検出素子は、入力操作を行うユーザとの間の静電容量の変化を検出する静電容量センサを含んでもよい。【００１９】
上記入力操作部は、上記第１の軸方向とは異なる第２の軸方向に延在し上記本体に配置され、上記第２の軸方向における操作位置を検出する第２の検出素子と、ユーザの上記第２の検出素子上での上記第２の軸方向に沿った入力操作を誘導する第２の案内部と、をさらに有してもよい。
これにより、ＨＭＤは、第１及び第２の軸方向における操作位置に基づいて２次元の操作位置を検出することができる。したがって、第１及び第２の検出素子上での操作位置の変化に応じて画像上のポインタ等を所望の方向に移動させることが可能となる。
【発明の効果】
【００２０】
以上のように、本技術によれば、携帯性及び操作性に優れたヘッドマウントディスプレイを提供することができる。
【図面の簡単な説明】
【００２１】
【図１】本技術の第１の実施形態に係るヘッドマウントディスプレイを示す模式的な斜視図である。
【図２】本技術の第１の実施形態に係るヘッドマウントディスプレイの要部平面図である。
【図３】本技術の第１の実施形態に係るヘッドマウントディスプレイの内部構成を示すブロック図である。
【図４】本技術の第１の実施形態に係るヘッドマウントディスプレイの第１の案内部を示す模式的な図であり、（Ａ）は平面図、（Ｂ）は（Ａ）の（ａ）−（ａ）方向における断面図である。
【図５】本技術の第１の実施形態に係るヘッドマウントディスプレイ（制御部）の一動作例におけるフローチャートである。
【図６】本技術の第１の実施形態に係るヘッドマウントディスプレイの典型的な動作例を説明する図であり、（Ａ）は、ユーザが入力操作を行っている第１及び第２の検出素子と第１及び第２の案内部とを示し、（Ｂ）は、ユーザに提示される操作画像を示す。
【図７】本技術の第１の実施形態の変形例に係る第１の検出素子及び第１の案内部を示す模式的な図であり、（Ａ）は平面図、（Ｂ）は（Ａ）の（ｂ）−（ｂ）方向の断面図を示す。
【図８】本技術の第２の実施形態に係る第１の検出素子及び第１の案内部を示す模式的な図であり、（Ａ）は平面図、（Ｂ）は（Ａ）の（ｃ）−（ｃ）方向の断面図を示す。
【図９】本技術の第２の実施形態の変形例に係る第１の検出素子及び第１の案内部を示す模式的な図であり、（Ａ）は平面図、（Ｂ）は（Ａ）の（ｄ）−（ｄ）方向の断面図を示す。
【図１０】本技術の第３の実施形態に係る第１の検出素子及び第１の案内部の模式的な図であり、（Ａ）は平面図、（Ｂ）は（Ａ）の（ｅ）−（ｅ）方向の断面図を示す。
【図１１】本技術の第４の実施形態に係るヘッドマウントディスプレイを示す模式的な斜視図である。
【図１２】本技術の第５の実施形態に係るヘッドマウントディスプレイを示す模式的な斜視図である。
【図１３】本技術の第５の実施形態の変形例に係るヘッドマウントディスプレイを示す模式的な斜視図である。
【図１４】本技術の第５の実施形態の変形例に係るヘッドマウントディスプレイを示す模式的な斜視図である。
【図１５】本技術の第５の実施形態の変形例に係るヘッドマウントディスプレイを示す模式的な斜視図である。
【図１６】本技術の第５の実施形態の変形例に係るヘッドマウントディスプレイを示す模式的な斜視図である。
【図１７】本技術の第５の実施形態の変形例に係るヘッドマウントディスプレイを示す模式的な斜視図である。
【図１８】本技術の第６の実施形態に係るヘッドマウントディスプレイを示す模式的な要部斜視図である。
【図１９】本技術の第６の実施形態に係るヘッドマウントディスプレイの内部構成を示すブロック図である。
【図２０】本技術の第６の実施形態に係るヘッドマウントディスプレイ（制御部）の一動作例を示すフローチャートである。
【図２１】本技術の第６の実施形態の変形例に係るヘッドマウントディスプレイを示す模式的な要部斜視図である。
【図２２】本技術の第６の実施形態の変形例に係るヘッドマウントディスプレイを示す図２１の（ｆ）−（ｆ）方向の断面図であり、（Ａ）はユーザが第１の案内部上で指を接触させた態様を示す図、（Ｂ）はユーザが第１の案内部上で指を矢印方向に押し込んだ態様を示す図である。
【図２３】本技術の第６の実施形態の変形例に係る第１の検出素子及び第１の案内部の模式的な図であり、（Ａ）は平面図、（Ｂ）は（Ａ）の（ｇ）−（ｇ）方向の断面図である。
【図２４】本技術の第７の実施形態に係るヘッドマウントディスプレイを示す模式的な要部斜視図である。
【図２５】本技術の一実施形態の変形例を説明する図であり、（Ａ）は、ユーザが第１の案内部上で２本の指を接触させつつこれらの距離を広げた態様を示し、（Ｂ）は、この際に操作画像が拡大する態様を示す。
【図２６】本技術の一実施形態の変形例を説明する図であり、（Ａ）は、ユーザが第１の案内部上で２本の指を接触させつつこれらの距離を狭めた態様を示し、（Ｂ）は、この際に操作画像が縮小する態様を示す。
【図２７】本技術の一実施形態の変形例を説明する図であり、（Ａ）は、ユーザが入力操作を行っている第１の検出素子及び第１の案内部を示し、（Ｂ）は、ユーザに提示される操作画像を示す。
【図２８】本技術の一実施形態の変形例を説明する図であり、（Ａ）は、ユーザが入力操作を行っている第１の検出素子及び第１の案内部を示し、（Ｂ）は、ユーザに提示される操作画像を示す。
【図２９】本技術の第５の実施形態の変形例に係るヘッドマウントディスプレイを示す模式的な斜視図である。
【発明を実施するための形態】
【００２２】
以下、本技術に係る実施形態を、図面を参照しながら説明する。
【００２３】
＜第１の実施形態＞
［ヘッドマウントディスプレイ］
図１、２、３は、本技術の一実施形態に係るヘッドマウントディスプレイ（ＨＭＤ）を示す模式的な図であり、図１は斜視図、図２は要部平面図、図３は内部構成を示すブロック図、である。本実施形態のＨＭＤ１は、本体２と、入力操作部３と、を有する。なお、図中のＸ軸方向とＹ軸方向とは、互いに略直交する方向を示し、本実施形態においてユーザに画像が表示される表示面とそれぞれ平行な方向を示す。Ｚ軸方向は、Ｘ軸方向とＹ軸方向とに直交する方向を示す。
【００２４】
ＨＭＤ１は、本実施形態において、透過型ＨＭＤとして構成される。ＨＭＤ１は、全体としてメガネ型の形状を有し、ユーザが頭部に装着して外界を視認しつつ、入力操作部３から入力された情報に基づく画像をユーザに提示させることが可能に構成される。
【００２５】
なお、ＨＭＤ１の本体２は、後述するように、左右の目にそれぞれ対応して構成される２個の表示部４を有する。これらの表示部４は略同一の構成であるため、図面及び以下の説明において、２個の表示部４及び表示部４に含まれる共通の構成は、それぞれ同一の符号で示すこととする。
【００２６】
［本体］
（フレーム部）
本体２は、表示部４と、フレーム部５と、を有する。フレーム部５は、ユーザの側頭部に配置されるテンプル部５１と、後述する表示部４の光学部材４１の周縁を支持するリム部５２と、を有し、ユーザの頭部に装着可能に構成される。フレーム部５は、例えば、合成樹脂、金属等の材料で形成され、左右の側頭部に配置されるテンプル部５１の端部がユーザの耳に係止可能に構成される。
【００２７】
テンプル部５１は、本実施形態において、例えば、Ｚ軸方向を長手方向として延在し、Ｙ軸方向を幅方向として配置される。また、リム部５２は、例えば、Ｚ軸方向に略直交するように配置される。
【００２８】
なお、テンプル部５１とリム部５２とは、ユーザの左右の側頭部及び左右の目にそれぞれ対応して構成される２個のテンプル部５１と２個のリム部５２とを有する。２個のテンプル部５１と２個のリム部５２とはそれぞれ略同一の構成であるため、図面及び以下の説明において、それぞれ同一の符号で示すこととする。
【００２９】
フレーム部５は、本実施形態において、表示部４の表示素子４２等を収容可能に形成された内部空間からなる収容部５３を有する。収容部５３は、例えば、テンプル部５１のリム部５２と隣接する領域に形成される。
【００３０】
また、フレーム部５は、テンプル部５１に可動自在に取り付けられたイヤホン５４を有してもよい。これにより、ユーザは、画像とともに音声も楽しむことが可能となる。さらに、フレーム部５は、２つのリム部５２の間に取り付けられたノーズパッドを有することも可能である（図示せず）。これにより、ユーザの装着感をより高めることができる。
【００３１】
（表示部）
図２は、表示部４の構成を模式的に示す断面図である。表示部４は、光学部材４１と、表示素子４２と、を有する。表示部４では、フレーム部５の収容部５３に収容される表示素子４２が画像を形成し、その画像光が光学部材４１内に導光されユーザの目に出射されることで、画像をユーザに提示するように構成される。
【００３２】
表示素子４２は、本実施形態において、例えば液晶表示素子（ＬＣＤ）で構成される。表示素子４２は、複数の画素がマトリクス状に配置された複数の画素を有する。表示素子４２は、ＬＥＤ（発光ダイオード）等からなる図示しない光源を含み、当該光源から入射される光を、入力操作部３によって生成された画像制御信号に応じて画素毎に変調し、ユーザに提示される画像を形成する光を出射する。表示素子４２は、例えば、Ｒ（赤），Ｇ（緑），Ｂ（青）の各色に対応する画像光を個々に出射する３板方式を用いることもでき、あるいは、各色に対応する画像光を同時に出射する単板方式を用いることもできる。
【００３３】
表示素子４２は、例えば、画像光をＺ軸方向に出射するように構成される。また必要に応じて、レンズ等の光学系を配置することにより、表示素子４２から出射された画像光を光学部材４１に所望の方向で出射させるように構成することも可能である。
【００３４】
光学部材４１は、本実施形態において、導光板４１１と、偏向素子（ホログラム回折格子４１２）と、を有し、表示素子４２とＺ軸方向に対向して取り付けられる。
【００３５】
導光板４１１は、画像光が出射する表示面４１１Ａを介してＸ軸方向に横方向及びＹ軸方向に縦方向を有する画面をユーザに提示する。導光板４１１は、例えば、Ｚ軸方向と略直交するＸＹ平面を有する表示面４１１Ａと、表示面４１１Ａに対向する外表面４１１Ｂと、を含む透光性の板状に構成される。導光板４１１は、装着時に、例えばユーザの眼前にメガネのレンズ様に配置される。導光板４１１を形成する材料は、反射率等を鑑みて適宜採用することができ、例えばポリカーボネート樹脂、ＰＥＴ（ポリエチレンテレフタレート）等の透明プラスチック板、ガラス板、セラミックス板等の光透過性材料が採用される。
【００３６】
ホログラム回折格子４１２は、例えば、フォトポリマー材料等からなるフィルム状の構造を有し、表示素子４２とＺ軸方向に対向して外表面４１１Ｂ上に配置される。ホログラム回折格子４１２は、本実施形態において非透過型に形成されるが、透過型でもよい。
【００３７】
ホログラム回折格子４１２は、特定の波長帯域の光を効率よく、最適な回折角で反射させることが可能である。ホログラム回折格子４１２は、例えば、Ｚ軸方向から出射された特定の波長帯域の光を、導光板４１１内で全反射させることが可能な第２の方向へ回折反射させ、ユーザの目に向けて表示面４１１Ａから出射させるように構成される。特定の波長帯域としては、具体的には、Ｒ（赤），Ｇ（緑），Ｂ（青）の各色に対応する波長帯域が選択される。これにより、表示素子４２から出射された各色に対応する画像光は、導光板４１１内をそれぞれ伝播して表示面４１１Ａから出射する。これら各色の画像光がユーザの目に入射することにより、ユーザに所定の画像を提示することが可能となる。なお、図２では、便宜上、１種類の波長帯域の光のみ記載している。
【００３８】
また、外表面４１１Ｂ上のユーザの目と対向する位置に、ホログラム回折格子４１２とは別個のホログラム回折格子を配置することも可能である。これにより、画像光を表示面４１１Ａからユーザの目の方向へ出射させることが容易になる。この場合は、当該ホログラム回折格子を、例えば透過型のホログラム回折格子等とすることで、透過型ＨＭＤとしての構成を維持することができる。
【００３９】
［入力操作部］
入力操作部３は、本実施形態において、第１のタッチセンサ３１ｘ（第１の検出素子）と、第２のタッチセンサ３１ｙ（第２の検出素子）と、第１の案内部３２ｘと、第２の案内部３２ｙと、制御部３３と、記憶部３４と、を含み、ユーザに提示される画像を制御するように構成される。
【００４０】
第１及び第２のタッチセンサ３１ｘ、３１ｙは、それぞれ異なる軸方向に沿った検出対象であるユーザの指の接触あるいは近接位置を静電的に検出する一次元の静電センサで構成される。本実施形態において第１のタッチセンサ３１ｘは、Ｘ軸方向に沿った指の位置を検出し、第２のタッチセンサ３１ｙは、Ｙ軸方向に沿った指の位置を検出する。なお以下の説明では、第１及び第２のタッチセンサ３１ｘ、３１ｙを単にタッチセンサ３１ｘ、３１ｙともいい、第１及び第２の案内部３２ｘ、３２ｙを単に案内部３２ｘ、３２ｙともいう。
【００４１】
タッチセンサ３１ｘ、３１ｙは、本実施形態において、例えば、装着時にユーザの左側に配置されるテンプル部５１に配置されるが、右側のテンプル部５１、あるいは両側のテンプル部５１に配置されてもよい。ユーザは、それぞれのタッチセンサ３１ｘ、３１ｙ上で指を移動させることで、ＨＭＤ１に対する入力操作を行う。これにより、タッチセンサ３１ｘ、３１ｙは、２次元センサと同様に、それぞれｘ軸方向とｙ軸方向とにおける操作位置またはその変化に応じて、２次元の表示画像上でポインタ等を移動させることが可能となる。
【００４２】
タッチセンサ３１ｘ、３１ｙのテンプル部５１上における配置は、特に制限されない。本実施形態において、タッチセンサ３１ｘは、テンプル部５１の長手方向（Ｚ軸方向）に相当するｘ軸方向に延在し、タッチセンサ３１ｙは、テンプル部５１の幅方向（Ｙ軸方向）に相当するｙ軸方向に延在する。また、タッチセンサ３１ｘ、３１ｙが互いに直交するように配置されてもよく、例えば、図１に示すように、タッチセンサ３１ｘ、３１ｙが互いに近接して配置されることで、操作性をより高めることが可能となる。
【００４３】
なお、「操作位置」とは、ＨＭＤ１によってユーザの指等とタッチセンサ３１ｘ、３１ｙとの接触が検出された際のｘ座標位置及びｙ座標位置を示すこととする。
【００４４】
案内部３２ｘは、タッチセンサ３１ｘの上に配置され、案内部３２ｙは、タッチセンサ３１ｙの上に配置されている。本実施形態では、案内部３２ｘ、３２ｙは、タッチセンサ３１ｘ、３１ｙの外面側に配置されており、タッチセンサ３１ｘ、３１ｙに対する入力操作の際、案内部３２ｘ、３２ｙにユーザが触れるように両者の配置が設定されている。
【００４５】
図４は第１のタッチセンサ３１ｘと第１の案内部３２ｘとの関係を示す模式図であり、（Ａ）は平面図、（Ｂ）は（Ａ）の（ａ）−（ａ）方向における断面図である。図中、ｘ軸方向、ｙ軸方向、ｚ軸方向は、それぞれＺ軸方向、Ｙ軸方向、Ｘ軸方向に対応する。また、後述するように、タッチセンサ３１ｙと案内部３２ｙとは、タッチセンサ３１ｘと案内部３２ｘとにそれぞれ対応する構成を有するため、それらの図示を省略している。
【００４６】
タッチセンサ３１ｘは、ｘ軸方向に長手方向、ｙ軸方向に幅方向、ｚ軸方向に厚み方向を有する薄板状に形成される。タッチセンサ３１ｘの形状として、例えば、ｘ軸方向の長さはテンプル部５１の形状に応じて適宜設定することができ、ｙ軸方向の幅は約１ｃｍ以下で形成することができる。また、タッチセンサ３１ｘは、テンプル部５１の表面に沿って湾曲して配置されてもよい。
【００４７】
タッチセンサ３１ｘは、図示せずとも、ｘ軸方向に所定間隔で配列されたｘ位置検出用の複数の第１の電極を有する。上記第１の電極のｙ軸方向に沿った長さは、タッチセンサ３１ｘの幅と略同一に形成される。タッチセンサ３１ｘは、後述する制御部３３に含まれる駆動回路によって駆動される。
【００４８】
案内部３２ｘは、タッチセンサ３１ｘの上に配置された電気絶縁性の材料、例えば、ポリカーボネート樹脂、ＰＥＴ（ポリエチレンテレフタレート）等のプラスチック板、ガラス板、セラミックス板等で構成される。案内部３２ｘは、透光性であってもよいし、非透光性であってもよい。
【００４９】
案内部３２ｘは、ｘ軸方向に長手方向、ｙ軸方向に幅方向、ｚ軸方向に厚み方向を有する板材で構成され、タッチセンサ３１ｘの上に固定される。本実施形態において案内部３２ｘの長さ及び幅は、タッチセンサ３１ｘの長さ及び幅と同等の大きさに形成される。案内部３２ｘはタッチセンサ３１ｘの上に密着するように固定されてもよいし、両者間に所定の隙間が形成されてもよい。
【００５０】
案内部３２ｘは、第１の面３２１ｘと、２つの第２の面３２２ｘと、を有する。第１の面３２１ｘは、ｘ軸方向に沿って延在し、第２の面３２２ｘは、第１の面３２１ｘから突出し第１の面３２１ｘを挟んでｘ軸方向に沿って延在する。第１の面３２１ｘは、案内部３２ｘの表面中央部にｘ軸方向に沿って形成した溝Ｇ１の底面に相当する。溝Ｇ１の深さ、幅は特に限定されず、それぞれ適宜の値に設定される。また、溝Ｇ１の形状は図示するように角溝の例に限られず、第１の面３２１ｘが曲面となるような丸溝で形成されてもよい。
【００５１】
以上のように構成される案内部３２ｘにおいて、第１の面３２１ｘと２つの第２の面３２２ｘとの間には段差が形成され、これらの面の境界、すなわち２つの第２の面３２２ｘの縁に沿って、２本の稜線Ｒｘが形成される。これらの稜線Ｒｘは、溝部Ｇ１の開口縁部にそれぞれ相当する。
【００５２】
２本の稜線Ｒｘは、ユーザに触知されることにより、ｘ軸方向及びタッチセンサ３１ｘのテンプル部５１における配置、形状等を認識させる。これにより、２本の稜線Ｒｘは、ユーザのタッチセンサ３１ｘ上でのｘ軸方向に沿った入力操作を誘導する。したがって、ユーザは、タッチセンサ３１ｘ及び入力操作を行う指等を視認せずとも、稜線Ｒｘに触れることによりタッチセンサ３１ｘの形状等を把握し、所望の入力操作を行うことが可能となる。
【００５３】
一方、タッチセンサ３１ｙは、ｙ軸方向に長手方向、ｘ軸方向に幅方向、ｚ軸方向に厚み方向を有する薄板状に形成される。タッチセンサ３１ｙの形状として、例えば、ｙ軸方向の長さはテンプル部５１の形状に応じて適宜設定することができ、ｘ軸方向の幅は約１ｃｍ以下で形成することができる。また、タッチセンサ３１ｙは、テンプル部５１の表面に沿って湾曲して配置されてもよい。
【００５４】
タッチセンサ３１ｙは、図示せずとも、ｙ軸方向に所定間隔で配列されたｙ位置検出用の複数の第２の電極を有する。上記第２の電極のｘ軸方向に沿った長さは、タッチセンサ３１ｙの幅と略同一に形成される。タッチセンサ３１ｙは、後述する制御部３３に含まれる駆動回路によって駆動される。
【００５５】
案内部３２ｙは、ｙ軸方向に長手方向、ｘ軸方向に幅方向、ｚ軸方向に厚み方向を有する板材で構成され、タッチセンサ３１ｙの上に固定される。本実施形態において案内部３２ｙの長さ及び幅は、タッチセンサ３１ｙの長さ及び幅と同等の大きさに形成される。案内部３２ｙは、案内部３１ｘと同様に、第１の面３２１ｙと第２の面３２２ｙとを有し、これらの面の間に２つの稜線Ｒｙが形成された電気絶縁性材料からなる板材で構成される。上記第１及び第２の面３２１ｙ、３２２ｙは、案内部３２ｘの第１及び第２の面３２１ｘ、３２２ｘと同様の構成を有するため、ここではそれらの説明を省略する。
【００５６】
制御部３３は、典型的には、ＣＰＵ（Central Processing Unit）あるいはＭＰＵ（Micro-Processing Unit）で構成される。本実施形態において制御部３３は、演算部３３１と信号生成部３３２とを有し、記憶部３４に格納されたプログラムに従って各種機能を実行する。演算部３３１は、タッチセンサ３１ｘ、３１ｙからそれぞれ出力される電気的な信号に対して所定の演算処理を実行し、第１のセンサ面３１１ｘ、３１１ｙと、第２のセンサ面３１２ｘ、３１２ｙとに接触するユーザの操作位置に関する情報を含む操作信号を生成する。信号生成部３３２は、これらの演算結果に基づいて、表示素子４２に画像を表示させるための画像制御信号を生成する。また、制御部３３は、タッチセンサ３１ｘ、３１ｙを駆動するための駆動回路を有し、本実施形態において、当該駆動回路は演算部３３１に組み込まれる。
【００５７】
演算部３３１は、具体的には、タッチセンサ３１ｘ、３１ｙからそれぞれ出力される信号に基づいて、第１のセンサ面３１１ｘ及び第２のセンサ面３１２ｘ上における指の操作位置（ｘ座標位置）と、第１のセンサ面３１１ｙ及び第２のセンサ面３１２ｙ上における指の操作位置（ｙ座標位置）をそれぞれ算出する。これにより、２次元タッチパネルと同様に、タッチセンサ３１ｘ、３１ｙから、操作位置のｘｙ座標を算出することができる。また、所定時間前のｘ座標位置とｙ座標位置との差分をそれぞれ算出することで、操作位置のｘｙ座標の経時的な変化を算出する。さらに、本実施形態において、所定の操作位置のｘｙ座標上で一定時間内に接触と非接触の連続操作（以下、「タップ操作」とする）が検出された場合、演算部３３１は、ユーザに提示される画像に表示された、当該座標位置に対応するＧＵＩ（指示項目）に割り当てられた特定の処理を実行する。演算部３３１によるこれらの処理結果は、信号生成部３３２に送信される。
【００５８】
信号生成部３３２では、演算部３３１から送信された処理結果に基づき、表示素子４２に出力する画像制御信号を生成する。当該画像制御信号によって、例えば、ＧＵＩ等が表示されたメニュー選択画像等に、タッチセンサ３１ｘ上の操作位置のｘｙ座標に基づくポインタ等を重畳的に表示させた画像が生成されることも可能である。
【００５９】
信号生成部３３２で生成された画像制御信号は、２つの表示素子４２へそれぞれ出力されるように構成される。また、信号生成部３３２では、左右の目に応じた画像制御信号を生成してもよい。これにより、ユーザに３次元画像を提示することが可能となる。
【００６０】
また図示せずとも、ＨＭＤ１は、タッチセンサ３１ｘ、３１ｙから出力される検出信号（アナログ信号）をデジタル信号に変換するＡ／Ｄコンバータや、デジタル信号をアナログ信号に変換するＤ／Ａコンバータを含む。
【００６１】
記憶部３４は、ＲＡＭ（Random Access Memory）、ＲＯＭ（Read Only Memory）及びその他の半導体メモリ等で構成され、算出されたユーザの指等の操作位置のｘｙ座標や、制御部３３による種々の演算に用いられるプログラム等を格納する。例えば、ＲＯＭは、不揮発性メモリで構成され、制御部３３に操作位置のｘｙ座標の算出等の演算処理を実行させるためのプログラムや設定値を格納する。また、記憶部３４は、例えば不揮発性の半導体メモリによって、これらに対応して割り当てられた機能を実行するためのプログラム等を格納することが可能となる。さらに、半導体メモリ等に予め格納されたこれらのプログラムは、ＲＡＭにロードされ、制御部３３の演算部３３１によって実行されるようにしてもよい。
【００６２】
なお、制御部３３及び記憶部３４は、例えばフレーム部５の収容部５３内に収容されることが可能であり、別の筐体に収容されることも可能である。別の筐体に収容される場合は、制御部３３は、有線または無線でタッチセンサ３１ｘ、３１ｙと、表示部４等と接続されることが可能に構成される。
【００６３】
さらに、ＨＭＤ１は、スピーカ１１を有する。スピーカ１１は、制御部３３等によって生成された電気的な音声信号を物理的な振動に変換し、イヤホン５４を介してユーザに音声を提供する。なお、スピーカ１１の構成は特に限られない。
【００６４】
また、ＨＭＤ１は、通信部１２を有していてもよい。これにより、ＨＭＤ１によってユーザに提示される画像が、インターネット等から通信部１２を介して取得されることが可能となる。
【００６５】
なお、収容部５３は、表示素子４２以外にも、例えば、上述の制御部３３、記憶部３４、あるいはスピーカ１１、通信部１２等を収容可能に構成されてもよい。
【００６６】
［ＨＭＤの動作例］
次に、ＨＭＤ１の基本的な動作例について説明する。
【００６７】
図５は、ＨＭＤ１（制御部３３）の一動作例におけるフローチャートである。図６は、ＨＭＤ１の典型的な動作例を説明する図であり、（Ａ）は、ユーザが入力操作を行っているテンプル部５１上のタッチセンサ３１ｘ、３１ｙを示し、（Ｂ）は、光学部材４１の表示面４１１Ａを介してユーザに提示される操作画像を示す。ここでは、ユーザがＨＭＤ１を装着し、起動させ、タッチセンサ３１ｘ、タッチセンサ３１ｙ上の所定位置でタップ操作を行った際のＨＭＤ１の動作例を示す。
【００６８】
起動されたＨＭＤ１を装着したユーザには、表示面４１１Ａを介して、例えば、ＧＵＩが多数表示された画像Ｖ１が表示されている（図６（Ｂ）参照）。画像Ｖ１は、例えばＨＭＤ１の各種設定のメニュー選択画像であり、各ＧＵＩは、ＨＭＤ１の消音モードへの切り替え、音量調節、画像の再生、早送り、あるいはポインタの表示形態の変更等に対応している。すなわち、入力操作部３は、ユーザによって特定のＧＵＩが選択されることで、ＨＭＤ１の設定を変更することが可能に構成される。
【００６９】
タッチセンサ３１ｘ、３１ｙは、案内部３２ｘ、３２ｙへのユーザの指等の接触を検出するための検出信号を制御部３３へそれぞれ出力している。制御部３３の演算部３３１は、当該検出信号に基づき接触状態を判定する（ステップＳＴ１０１）。ユーザは、案内部３２ｘ、３２ｙの稜線Ｒｘ、Ｒｙを触知することにより、容易にタッチセンサ３１ｘ、３１ｙの配置を確認し、タッチセンサ３１ｘ、３１ｙ上に接触することができる。
【００７０】
制御部３３の演算部３３１は、案内部３２ｘ、３２ｙのいずれかの接触を検出した際（ステップＳＴ１０１でＹＥＳ）、上記検出信号に基づいてタッチセンサ３１ｘ、３１ｙ上における指の操作位置のｘｙ座標をそれぞれ算出する（ステップＳＴ１０２）。演算部３３１によって算出された操作位置のｘｙ座標に関する操作信号は、信号生成部３３２に出力される。
【００７１】
制御部３３の信号生成部３３２は、操作信号及び画像Ｖ１の画像信号に基づいて、画像Ｖ１に検出対象の位置を示すポインタＰが重畳した操作画像Ｖ１０を制御する信号を生成する。画像Ｖ１の画像信号は、予め記憶部３４に格納されていてもよい。この画像制御信号が出力された表示素子４２は、光学部材４１へ操作画像Ｖ１０の画像光を出射する。
【００７２】
光学部材４１は、当該画像光を導光し、導光板４１１の表示面４１１Ａから出射させることで、ユーザに操作画像Ｖ１０を提示する（ステップＳＴ１０３、図６（Ｂ））。
【００７３】
また、ユーザの指が案内部３２ｘ、３２ｙの少なくとも一方と接触しつつ移動した場合（図６（Ａ）における矢印参照）、経時的に変化する操作位置のｘｙ座標の情報がタッチセンサ３１ｘ、３１ｙによって取得される。この情報を取得した制御部３３の演算部３３１は、所定時間前の操作位置のｘｙ座標との差分を算出することで、操作位置のｘｙ座標の経時的な変化を算出する。信号生成部３３２は、この結果に基づき、ポインタＰを移動させるような制御信号を表示素子４２に出力することができる。これにより、ＨＭＤ１は、ユーザの指の移動に応じて、画像Ｖ１の表示領域でポインタＰを移動させることが可能となる（図６（Ｂ）における矢印参照）。
【００７４】
制御部３３は、算出された操作位置のｘｙ座標に最も近いＧＵＩ（以下、選択ＧＵＩという。）を選択候補とする（ステップＳＴ１０４）。これに対応して、ＨＭＤ１に表示される画像Ｖ１０の選択候補のＧＵＩは、例えば枠の色、彩度、輝度等の表示形態を変化させてもよい。ユーザは、ＨＭＤ１によって表示された画像Ｖ１０を視認することで、選択候補のＧＵＩを確認することが可能となる。
【００７５】
制御部３３は、タッチセンサ３１ｘ、３１ｙからの出力に基づいて、案内部３２ｘ、３２ｙと指との接触状態を判定する（ステップＳＴ１０５）。制御部３３が案内部３２ｘ、３２ｙの少なくとも一方との接触状態を維持していると判定した場合（ステップＳＴ１０５でＮＯ）、再びタッチセンサ３１ｘ、３１ｙのｘｙ座標を算出し、改めて選択候補ＧＵＩを選出する（ステップＳＴ１０２〜１０４）。
【００７６】
一方、制御部３３は、案内部３２ｘ、３２ｙのいずれにおいても非接触を判定した場合（ステップＳＴ１０５でＹＥＳ）、タッチセンサ３１ｘ、３１ｙの少なくとも一方からの信号に基づいて指の再接触を判定する（ステップＳＴ１０６）。制御部３３は、一定時間内に指の再接触を検出した場合（ステップＳＴ１０６でＹＥＳ）、すなわちユーザが選択候補ＧＵＩ上でタップ操作を行った場合、当該選択候補ＧＵＩを選択ＧＵＩと判定する。この際、制御部３３は、記憶部３４に格納されたこの選択ＧＵＩに対応するコード情報を取得する（ステップＳＴ１０７）。
【００７７】
一方、制御部３３は、所定時間内に案内部３２ｘ、３２ｙのいずれにおいても再接触を検出しなかった場合（ステップＳＴ１０６でＮＯ）、選択候補のＧＵＩは選択されなかったものと判定する。そして、ＨＭＤ１の操作画像Ｖ１０からポインタＰが消滅し、画像Ｖ１に戻る。
【００７８】
さらに、制御部３３は、取得した上記コード情報に基づき、選択ＧＵＩに対応する処理を実行する。この処理は、例えば記憶部３４に格納されたプログラム等に基づいて実行される。例えば、選択ＧＵＩに対応する機能が「消音モードへの切り替え」であった場合、制御部３３は、当該ＧＵＩに対応するコード情報に基づいて処理を実行することにより、ＨＭＤ１の設定を消音モードに切り替えることが可能となる。
【００７９】
また、ステップＳＴ１０７で取得されたコード情報が、例えば音量調整等であれば、制御部３３は、このコード情報に基づく画像制御信号を生成し、表示素子４２へ出力することもできる。これにより、ＨＭＤ１を装着したユーザには、例えば音量調節バー等が重畳された新たな操作画像（図示せず）が提示される。また、取得されたコード情報が、例えば画像の再生等であれば、制御部３３がこのコード情報に基づく画像制御信号を生成することで、再生される映像コンテンツを選択するためのサムネイル画像等（図示せず）がユーザに提示される。
【００８０】
以上のように本実施形態のＨＭＤ１は、本体２のテンプル部５１にタッチセンサ３１ｘ、３１ｙが配置されているため、専用の入力装置等を必要としない。これにより、例えば混雑した電車内等の、入力装置等を取り出すことが困難な場所でＨＭＤ１を使用する場合であっても、ＨＭＤ１への入力操作を行うことが可能となり、利便性が高まる。さらに、ＨＭＤ１の持ち運びも容易となる。
【００８１】
また、ＨＭＤ１は、タッチセンサ３１ｘ、３１ｙ上に、案内部３２ｘ、３２ｙをそれぞれ有する。これにより、タッチセンサ３１ｘ、３１ｙ及び入力操作を行う指等を確認しなくとも、案内部３２ｘ、３２ｙに触れることによりタッチセンサ３１ｘ、３１ｙの配置及び形状等を把握することができる。すなわち、ユーザがＨＭＤ１を装着しタッチセンサ３１ｘ、３１ｙを視認することができない状態であっても、所望の入力操作を容易に行うことが可能となり、操作性を向上させることができる。
【００８２】
本実施形態に係るＨＭＤ１のタッチセンサ３１ｘ、３１ｙは、表面全体がセンサ面で構成される。これにより、タッチセンサ３１ｘ、３１ｙは、ユーザの指の接触を許容するだけの幅に設定されればよく、タッチセンサ３１ｘ、３１ｙを省スペースに構成することが可能となる。
【００８３】
さらに、ＨＭＤ１は、本体２のテンプル部５１の構成を利用してタッチセンサ３１ｘ、３１ｙをそれぞれ配置したことにより、限られたスペースであってもパネル状等の２次元タッチセンサと同様の操作性を実現することが可能である。
【００８４】
また、本実施形態の変形例として、以下のような構成も採用することができる。
【００８５】
（変形例）
図７は、ｘ軸方向に沿って各々延在する第１のタッチセンサ及び第１の案内部の変形例を示す模式的な図であり、（Ａ）は平面図、（Ｂ）は（Ａ）の（ｂ）−（ｂ）方向の断面図を示す。なお、ｙ軸方向に沿って各々延在する第２のタッチセンサ及び第２の案内部は、図示するタッチセンサ３１Ａｘ及び案内部３２Ａｘと同様の構成を有するため、その図示及び説明は省略する。
【００８６】
図７に示す案内部３２Ａｘは、ｘ軸方向に沿って延在する第１の面３２１Ａｘと、第１の面３２１Ａｘから沈降し第１の面３２１Ａｘを挟んでｘ軸方向に沿って各々延在する２つの第２の面３２２Ａｘとを有する。第１の面３２１Ａｘは、案内部３２Ａｘの表面中央部にｘ軸方向に沿って形成した断面矩形の突起Ｐ１の頂面に相当する。これにより、第１の面３２１Ａｘと２つの第２の面３３２Ａｘとの間には段差が形成され、これらの面の境界、すなわち第１の面３２１Ａｘの縁に沿って、２本の稜線ＲＡｘが形成される。
【００８７】
このような構成により、ユーザは、２本の稜線ＲＡｘ、ＲＡｙと突起Ｐ１の側面等とに沿った入力操作が可能となる。すなわち、タッチセンサ３１Ａｘ及び案内部３２Ａｘは、ユーザの所望の入力操作を誘導し、操作性を向上させることが可能となる。
【００８８】
＜第２の実施形態＞
図８は、本技術の第２の実施形態に係る、ｘ軸方向に沿って各々延在する第１のタッチセンサと第１の案内部との関係を示す模式的な図であり、（Ａ）は平面図、（Ｂ）は（Ａ）の（ｃ）−（ｃ）方向における断面図を示す。本実施形態では、第１の実施形態の構成および作用と同様な部分についてはその説明を省略または簡略化し、第１の実施形態と異なる部分を中心に説明する。なお、ｙ軸方向に沿って各々延在する第２のタッチセンサ及び第２の案内部は、図示するタッチセンサ３１Ｂｘ及び案内部３２Ｂｘと同様の構成を有するため、その図示及び説明は省略する。
【００８９】
本実施形態は、タッチセンサ３１Ｂｘに対する案内部３２Ｂｘの配置が第１の実施形態と異なる。すなわち、タッチセンサ３１Ｂｘは、第１の実施形態と同様に、ｘ軸方向に長手方向、ｙ軸方向に幅方向、ｚ軸方向に厚み方向を有する薄板状に形成される。一方、案内部３２Ｂｘは、ｘ軸方向に沿って延在する第１の面３２１Ｂｘと、第１の面３２１Ｂｘから突出し第１の面３２１Ｂｘを挟んでｘ軸方向に沿って延在する２つの第２の面３２２Ｂｘと、を有するが、第１の面３２１Ｂｘのｙ軸方向の幅がタッチセンサ３１Ｂｘのｙ軸方向の幅と略同一に形成される。
【００９０】
第１の面３２１Ｂｘは、第１の実施形態と同様に、案内部３２Ｂｘの表面中央部にｘ軸方向に沿って形成した溝Ｇ２の底面に相当する。第１の面３２１Ｂｘと２つの第２の面３２２Ｂｘとの間には段差が形成され、これらの面の境界である２つの第２の面３２２Ｂｘの縁に沿って、２本の稜線ＲＢｘが形成される。
【００９１】
以上のように構成されるタッチセンサ３１Ｂｘは、第１の面３２１Ｂｘ上でのユーザの入力操作を静電的に検出する。これにより、ユーザは、２本の稜線ＲＢｘを触知しつつ溝Ｇ２内の第１の面３２１Ｂｘ上に指を配置し、溝Ｇ２に沿って入力操作を行うことにより、ｘ軸方向に沿った所望の入力操作を行うことが可能となる。
【００９２】
なお、タッチセンサ３１Ｂｘの幅及び案内部３２Ｂｘの第１の面３２１Ｂｘの幅は、ユーザが溝Ｇ２内に指を配置できる程度の大きさであればよく、仕様に応じて適宜設定することができる。
【００９３】
本実施形態によっても、ユーザのｘ軸方向及びｙ軸方向に沿った入力操作を誘導し、操作性を向上させることができる。さらに本実施形態に係るタッチセンサ３１Ｂｘの幅は、案内部３２Ｂｘの第１の面３２１Ｂｘの幅に設定されているため、案内部３２Ｂｘの第２の面３２２Ｂｘへの不用意な指の接触による誤動作等を防止することができる。すなわち案内部３２Ｂｘをタッチセンサ３１Ｂｘの位置の確認のみに用いることができる。
【００９４】
（変形例）
図９は、ｘ軸方向に沿って各々延在する第１のタッチセンサ３１Ｂｘ及び第１の案内部３２Ｂｘの変形例を示す模式的な図であり、（Ａ）は平面図、（Ｂ）は（Ａ）の（ｄ）−（ｄ）方向の断面図を示す。なお、ｙ軸方向に沿って各々延在する第２のタッチセンサ及び第２の案内部は、図示するタッチセンサ３１Ｃｘ及び案内部３２Ｃｘと同様の構成を有するため、その図示及び説明は省略する。
【００９５】
図９に示す案内部３２Ｃｘは、ｘ軸方向に沿って延在する第１の面３２１Ｃｘと、第１の面３２１Ｃｘから沈降し第１の面３２１Ｃｘを挟んでｘ軸方向に沿って各々延在する２つの第２の面３２２Ｃｘとを有する。第１の面３２１Ｃｘは、案内部３２Ｃｘの表面中央部にｘ軸方向に沿って形成した断面矩形の突起Ｐ２の頂面に相当する。これにより、第１の面３２１Ｃｘと２つの第２の面３３２Ｃｘとの間には段差が形成され、これらの面の境界、すなわち第１の面３２１Ｃｘの縁に沿って、２本の稜線ＲＣｘが形成される。また、タッチセンサ３１Ｃｘの幅は、第１の面３２１Ｃｘの幅に対応して設定される。
【００９６】
このような構成により、ユーザは、２本の稜線ＲＣｘ、突起Ｐ２及び第１の面３２１Ｃｘ等に沿った入力操作が可能となる。すなわち、タッチセンサ３１Ｃｘ及び案内部３２Ｃｘは、ユーザの所望の入力操作を誘導し、操作性を向上させることが可能となる。さらに、本変形例によれば、タッチセンサ３１Ｃｘの幅は、案内部３２Ｂｘの第１の面３２１Ｂｘの幅に設定されているため、上述と同様の作用効果を得ることができる。
【００９７】
＜第３の実施形態＞
図１０は、本技術の第３の実施形態に係る、ｘ軸方向に沿って各々延在する第１のタッチセンサと第１の案内部との関係を示す模式的な図であり、（Ａ）は平面図、（Ｂ）は（Ａ）の（ｅ）−（ｅ）方向の断面図を示す。本実施形態では、第１の実施形態の構成および作用と同様な部分についてはその説明を省略または簡略化し、第１の実施形態と異なる部分を中心に説明する。なお、ｙ軸方向に沿って各々延在する第２のタッチセンサ及び第２の案内部は、図示するタッチセンサ３１Ｄｘ及び案内部３２Ｄｘと同様の構成を有するため、その図示及び説明は省略する。
【００９８】
タッチセンサ３１Ｄｘは、第１の実施形態と同様に、ｘ軸方向に長手方向、ｙ軸方向に幅方向、ｚ軸方向に厚み方向を有する薄板状に形成される。タッチセンサ３１Ｄｘは、図示せずとも、ｘ軸方向に所定間隔で配列されたｘ位置検出用の複数の第１の電極を有する。上記第１の電極のｙ軸方向に沿った長さは、タッチセンサ３１Ｄｘ及び後述する案内部３２Ｄｘの幅と略同一に形成される。
【００９９】
案内部３２Ｄｘは、複数の第１の面３２１Ｄｘと、複数の第１の面３２１Ｄｘよりもｚ軸方向に突出した複数の第１の面３２１Ｄｘとを有し、第１の面３２１Ｄｘと第２の面３２２Ｄｘとがｘ軸方向に沿って交互に配置された構成を有する。また、本実施形態において、複数の第１の面３２１Ｄｘ各々は、ｘ軸方向にそれぞれ略同一の長さを有し、複数の第２の面３１２Ｄｘ各々も、ｘ軸方向にそれぞれ略同一の長さを有する。第１の面３２１Ｄｘは、案内部３２Ｄｘの表面にｘ軸方向に沿って周期的に形成された複数の溝Ｇ３の底面に相当する。複数の第１の面３２１Ｄｘと複数の第２の面３２２Ｄｘとの間にはそれぞれ段差（凹凸）が形成され、これらの面の境界、すなわち第２の面３２２Ｄｘの縁に沿って、複数の稜線ＲＤｘが形成される。
【０１００】
本実施形態に係るタッチセンサ３１Ｄｘは、ｙ軸方向に沿って延びる複数の稜線ＲＤｘがｘ軸方向に所定間隔で配列されている。これにより、ユーザは、これら複数の稜線ＲＤｘの配列方向を触知することで、ｘ軸方向に沿ったタッチセンサ３１Ｄｘ上での操作方向を認識することが可能となる。
【０１０１】
また、複数の稜線ＲＤｘがｘ軸方向に所定間隔で配列されているため、ユーザが稜線ＲＤｘの配列方向に指を移動させることにより、一定の間隔で稜線ＲＤｘに触れることとなり、タッチセンサ３１Ｄｘ上での相対的な移動量を把握することができる。したがって、操作性をより向上させることが可能となる。
【０１０２】
＜第４の実施形態＞
図１１は、本技術の第４の実施形態に係るＨＭＤを示す模式的な斜視図である。本実施形態では、第１の実施形態の構成および作用と同様な部分についてはその説明を省略または簡略化し、第１の実施形態と異なる部分を中心に説明する。
【０１０３】
本実施形態に係るＨＭＤ１Ｅの本体２Ｅのテンプル部５１Ｅは、ｘ軸方向に沿って配置される縁部５５Ｅを有する。タッチセンサ３１Ｅｘは、テンプル部５１Ｅの縁部５５Ｅに沿って配置されている。
【０１０４】
本実施形態において、縁部５５Ｅは、タッチセンサ３１Ｅｘに対するｘ軸方向に沿った入力操作を誘導する案内部を構成する。これにより、ユーザは、縁部５５Ｅを触知することで、テンプル部５１Ｅ上でのタッチセンサ３１Ｅｘの配置を認識することが可能となる。また、テンプル部５１Ｅの縁部５５Ｅがｘ軸方向に沿って形成されているため、縁部５５Ｅを触知することによりｘ軸方向を認識することができ、タッチセンサ３１Ｅｘ上でのｘ軸方向に沿った入力操作を容易に行うことができる。さらに、テンプル部５１Ｅで上記案内部を構成することで、ＨＭＤ１Ｅをより簡易な構成とすることができる。
【０１０５】
＜第５の実施形態＞
図１２は、本技術の第５の実施形態に係るＨＭＤを示す模式的な斜視図である。本実施形態では、第１の実施形態の構成および作用と同様な部分についてはその説明を省略または簡略化し、第１の実施形態と異なる部分を中心に説明する。
【０１０６】
本実施形態に係るＨＭＤ１０は、第１の実施形態に係るＨＭＤ１と略同一の構成の本体２０を有する。本実施形態において第１の実施形態と異なる部分は、タッチセンサ３１０ｙがフレーム部５０のリム部５２０に配置されている点である。より具体的には、リム部５２０は、Ｙ軸方向に延在するリム横部５２１と、Ｘ軸方向に各々延在するリム上部５２２及びリム下部５２３とを有し、タッチセンサ３１０ｙは、Ｙ軸方向に延在するように、リム横部５２１に配置されている。
【０１０７】
本実施形態において、リム横部５２１は、タッチセンサ３１０ｙに対するＹ軸方向に沿った入力操作を誘導する案内部３２０ｙを構成する。これにより、ユーザは、リム横部５２１を触知することで、タッチセンサ３１０ｙの配置を認識することが可能となる。また、リム横部５２１がＹ軸方向に沿って形成されているため、リム横部５２１を触知することによりＹ軸方向を認識することができ、タッチセンサ３１０ｙ上でのＹ軸方向に沿った入力操作を容易に行うことができる。さらに、リム横部５２１で案内部３２０ｙを構成することで、ＨＭＤ１０をより簡易な構成とすることができる。
【０１０８】
ＨＭＤ１０は、タッチセンサ３１０ｙが本体２のリム横部５２１に配置されているため、別個の入力装置等が不要となり、携帯性を向上させることができる。また、本実施形態に係るＨＭＤ１０は、タッチセンサ３１０ｙによってＹ座標位置のみを検出する。これにより、例えばＨＭＤ１０が複雑な操作を必要としない画像再生装置等である場合には十分な操作性を発揮しつつ、入力操作部３０を簡易な構成とすることができ、低コスト化及び生産性の向上を実現することができる。
【０１０９】
なお、本実施形態に係るタッチセンサ及び案内部の配置は上記に限られず、以下のような構成も採用することができる。
【０１１０】
（変形例）
図１３〜１７は、本実施形態に係るＨＭＤ１０の変形例を示す模式的な斜視図である。
【０１１１】
図１３に示すＨＭＤ１０Ａは、タッチセンサ３１０Ａｘ及び案内部３２０Ａｘが、リム上部５２２に配置されている。タッチセンサ３１０ＡｘはＸ軸方向に延在するようにリム上部５２２に配置される。タッチセンサ３１０Ａｘはタッチセンサ３１ｘ等と略同一の構成を有し、ユーザによるＸ軸方向に沿った入力操作（ｘ座標）を検出することが可能に構成される。一方、リム上部５２２は、タッチセンサ３１０Ａｘに対するＸ軸方向に沿った入力操作を誘導する案内部３２０Ａｘを構成する。これにより、ユーザは、リム上部５２２を触知することで、タッチセンサ３１０Ａｘの配置を認識することが可能となる。
【０１１２】
図１４に示すＨＭＤ１０Ｂは、タッチセンサ３１０Ｂｘ及び案内部３２０Ｂｘが、リム下部５２３に配置されている。タッチセンサ３１０ＢｘはＸ軸方向に延在するようにリム下部５２３に配置される。タッチセンサ３１０Ｂｘはタッチセンサ３１ｘ等と略同一の構成を有し、ユーザによるＸ軸方向に沿った入力操作（ｘ座標）を検出することが可能に構成される。一方、リム下部５２３は、タッチセンサ３１０Ｂｘに対するＸ軸方向に沿った入力操作を誘導する案内部３２０Ｂｘを構成する。これにより、ユーザは、リム下部５２３を触知することで、タッチセンサ３１０Ｂｘの配置を認識することが可能となる。
【０１１３】
ＨＭＤ１０Ａ、１０Ｂによっても、携帯性及び操作性を向上させることができる。また、ＨＭＤ１０Ａ、１０Ｂは、それぞれ１個のタッチセンサ３１０Ａｘ、３１０Ｂｘを有することから、低コスト化及び生産性の向上を実現することができる。
【０１１４】
図１５に示すＨＭＤ１０Ｃは、タッチセンサ３１０Ｃｘ、３１０Ｃｙ及び案内部３２０Ｃｘ、３２０Ｃｙを有する。タッチセンサ３１０ＣｘはＸ軸方向に延在するようにリム上部５２２に配置される。タッチセンサ３１０Ｃｘはタッチセンサ３１ｘ等と略同一の構成を有し、ユーザによるＸ軸方向に沿った入力操作（ｘ座標）を検出することが可能に構成される。また、タッチセンサ３１０ＣｙはＹ軸方向に延在するようにリム横部５２１に配置される。タッチセンサ３１０Ｃｙはタッチセンサ３１ｙ等と略同一の構成を有し、ユーザによるＹ軸方向に沿った入力操作（ｙ座標）を検出することが可能に構成される。
【０１１５】
一方、リム上部５２２は、タッチセンサ３１０Ｃｘに対するＸ軸方向に沿った入力操作を誘導する案内部３２０Ｃｘを構成する。これにより、ユーザは、リム上部５２２を触知することで、タッチセンサ３１０Ｃｘの配置を認識することが可能となる。また、リム横部５２１は、タッチセンサ３１０Ｃｙに対するＹ軸方向に沿った入力操作を誘導する案内部３２０Ｃｙを構成する。これにより、ユーザは、リム横部５２１を触知することで、タッチセンサ３１０Ｃｙの配置を認識することが可能となる。
【０１１６】
図１６に示すＨＭＤ１０Ｄは、タッチセンサ３１０Ｄｘ、３１０Ｄｙ及び案内部３２０Ｄｘ、３２０Ｄｙを有する。タッチセンサ３１０ＤｘはＸ軸方向に延在するようにリム下部５２３に配置される。タッチセンサ３１０Ｄｘはタッチセンサ３１ｘ等と略同一の構成を有し、ユーザによるＸ軸方向に沿った入力操作（ｘ座標）を検出することが可能に構成される。また、タッチセンサ３１０ＤｙはＹ軸方向に延在するようにリム横部５２１に配置される。タッチセンサ３１０Ｄｙはタッチセンサ３１ｙ等と略同一の構成を有し、ユーザによるＹ軸方向に沿った入力操作（ｙ座標）を検出することが可能に構成される。
【０１１７】
一方、リム下部５２３は、タッチセンサ３１０Ｄｘに対するＸ軸方向に沿った入力操作を誘導する案内部３２０Ｄｘを構成する。これにより、ユーザは、リム下部５２３を触知することで、タッチセンサ３１０Ｄｘの配置を認識することが可能となる。また、リム横部５２１は、タッチセンサ３１０Ｄｙに対するＹ軸方向に沿った入力操作を誘導する案内部３２０Ｄｙを構成する。これにより、ユーザは、リム横部５２１を触知することで、タッチセンサ３１０Ｄｙの配置を認識することが可能となる。
【０１１８】
ＨＭＤ１０Ｃ、１０Ｄによっても、携帯性を向上させることができる。また、２次元センサと同様に、Ｘ軸方向及びＹ軸方向の操作位置に応じて、２次元の表示画像上でポインタ等を移動させることが可能となるため、操作性をより向上させることが可能となる。
【０１１９】
図１７に示すＨＭＤ１０Ｅは、タッチセンサ３１０Ｅｘ１、３１０Ｅｘ２、３１０Ｅｙ及び案内部３２０Ｅｘ１、３２０Ｅｘ２、３２０Ｅｙを有する。タッチセンサ３１０Ｅｘ１、３１０Ｅｘ２はＸ軸方向に延在するようにリム上部５２２及びリム下部５２３にそれぞれ配置される。タッチセンサ３１０Ｅｘ１、３１０Ｅｘ２はタッチセンサ３１ｘ等と略同一の構成を有し、ユーザによるＸ軸方向に沿った入力操作（ｘ座標）を検出することが可能に構成される。また、タッチセンサ３１０ＥｙはＹ軸方向に延在するようにリム横部５２１に配置される。タッチセンサ３１０Ｅｙはタッチセンサ３１ｙ等と略同一の構成を有し、ユーザによるＹ軸方向に沿った入力操作（ｙ座標）を検出することが可能に構成される。
【０１２０】
一方、リム上部４２２及びリム下部５２３は、それぞれ、タッチセンサ３１０Ｅｘ１、３１０Ｅｘ２に対するＸ軸方向に沿った入力操作を誘導する案内部３２０Ｅｘ１、３２０Ｅｘ２を構成する。これにより、ユーザは、リム上部５２２及びリム下部５２３を触知することで、タッチセンサ３１０Ｅｘ１、３１０Ｅｘ２の配置を認識することが可能となる。また、リム横部５２１は、タッチセンサ３１０Ｅｙに対するＹ軸方向に沿った入力操作を誘導する案内部３２０Ｅｙを構成する。これにより、ユーザは、リム横部５２１を触知することで、タッチセンサ３１０Ｅｙの配置を認識することが可能となる。
【０１２１】
上記構成のＨＭＤ１０Ｅは、Ｘ軸方向の操作位置に関する検出信号を出力するタッチセンサ３１０Ｅｘ１、３１０Ｅｘ２を有するため、これらのセンサのいずれか一方を使用しても、Ｘ軸方向に沿ったユーザの入力操作を検出することが可能となる。これにより、使用する指や操作の種類に応じてこれらのセンサを選択することができ、ユーザの操作感をより高めることが可能となる。
【０１２２】
＜第６の実施形態＞
図１８、１９は、本技術の第６の実施形態に係るＨＭＤを示す模式的な図であり、図１８は要部斜視図、図１９は内部構成を示すブロック図である。本実施形態では、第１の実施形態の構成および作用と同様な部分についてはその説明を省略または簡略化し、第１の実施形態と異なる部分を中心に説明する。
【０１２３】
本実施形態に係るＨＭＤ１００の入力操作部３００は、押圧可能に構成されるスイッチ３５を有する点で第１の実施形態と異なる。すなわち、スイッチ３５は、タッチセンサ３１００ｘ、３１００ｙへの入力操作により選択されたＧＵＩ等に対応する処理の実行を決定するための押圧信号を制御部３３００に出力する。
【０１２４】
スイッチ３５は、例えばｚ軸方向に押圧されることが可能な１つのボタンで構成される。スイッチ３５の配置は特に限られず、ＨＭＤ１００の機能、装置構成等に鑑みて適宜配置することができ、例えば、テンプル部５１において、タッチセンサ３１００ｘ、３１００ｙの近傍に配置することが可能である。
【０１２５】
本実施形態において、タッチセンサ３１００ｘ、３１００ｙ及び案内部３２００ｘ、３２００ｙは、第１の実施形態に係るタッチセンサ３１ｘ、３１ｙ及び案内部３２ｘ、３２ｙと、それぞれ略同一に構成することができる。また、これに限られず、例えば、第１の実施形態の変形例として説明したタッチセンサ及び案内部、第２の実施形態として説明したタッチセンサ及び案内部、あるいは第３の実施形態として説明したタッチセンサ及び案内部と略同一の構成とすることも可能である。
【０１２６】
図１９は、ＨＭＤ１００の内部構成を示すブロック図である。スイッチ３５は、ユーザの押圧操作により、押圧信号を制御部３３００に出力することが可能に構成される。所定の操作位置上で押圧信号が検出された場合、制御部３３００の演算部３３１０は、ユーザに提示される画像に表示された、当該操作位置に対応するＧＵＩに割り当てられた特定の処理を実行する。演算部３３１０によるこれらの処理結果は、信号生成部３３２０に送信されて当該処理に応じた表示画像が生成され、表示部４を介してユーザに表示される。
【０１２７】
図２０は、ＨＭＤ１００（制御部３３００）の一動作例におけるフローチャートである。ここでは、第１の実施形態と同様に、ユーザがＨＭＤ１００を装着し、起動させ、タッチセンサ３１００ｘ、タッチセンサ３１００ｙ上の所定位置でスイッチ３５を押圧した際のＨＭＤ１００の動作例を示す。
【０１２８】
起動されたＨＭＤ１００を装着したユーザには、表示面４１１Ａを介して、例えば、ＧＵＩが多数表示された画像Ｖ１が表示されている（図６（Ｂ）参照）。画像Ｖ１は、例えば第１の実施形態と同様に、ＨＭＤ１００の消音モードへの切り替え、音量調節等に対応する各ＧＵＩが表示されたＨＭＤ１００の各種設定のメニュー選択画像である。
【０１２９】
タッチセンサ３１００ｘ、３１００ｙは、ユーザの指の接触を検出するための検出信号を制御部３３００へそれぞれ出力している。制御部３３００の演算部３３１０は、当該検出信号に基づき接触状態を判定する（ステップＳＴ２０１）。
【０１３０】
制御部３３００の演算部３３１０は、案内部３２００ｘ、３２００ｙのうちの少なくとも一方と、ユーザとの接触を検出した際（ステップＳＴ２０１でＹＥＳ）、上記検出信号に基づいてタッチセンサ３１００ｘ、３１００ｙ上における指の操作位置をそれぞれ算出する（ステップＳＴ２０２）。演算部３３１０によって算出された操作位置のｘｙ座標に関する操作信号は、信号生成部３３２０に出力される。さらに表示素子４２を介して、光学部材４１により、ユーザに操作画像Ｖ１０が提示される（ステップＳＴ２０３、図６（Ｂ））。
【０１３１】
また、ユーザの指が案内部３２００ｘ、３２００ｙ上の少なくとも一方と接触しつつ移動した場合は（図６（Ａ）における矢印参照）、第１の実施形態と同様に、画像Ｖ１の表示領域でユーザの操作位置の移動に基づきポインタＰが移動された操作画像Ｖ１０が提示される（図６（Ｂ）における矢印参照）。
【０１３２】
制御部３３００は、算出された操作位置のｘｙ座標に最も近いＧＵＩ（以下、選択ＧＵＩとする）を選択候補とする（ステップＳＴ２０４）。制御部３３００は、スイッチ３５から出力される押圧信号が閾値以上であるか、すなわち、押圧が検出されたか判定する（ステップＳＴ２０５）。押圧が検出されたと判定した場合は（ステップＳＴ２０５でＹＥＳ）、処理の実行が決定されたものとみなし、当該選択候補ＧＵＩを選択ＧＵＩと判定する。この際、制御部３３００は、記憶部３４に格納された当該選択ＧＵＩに対応するコード情報を取得する（ステップＳＴ２０６）。
【０１３３】
一方、制御部３３００は、所定時間内に押圧を検出しなかった場合（ステップＳＴ２０５でＮＯ）、選択候補のＧＵＩは選択されなかったものと判定する。そして、再び案内部３２００ｘ、３２００ｙとユーザの指との接触状態を判定し、新たな選択候補ＧＵＩを選出する（ステップＳＴ２０１〜ＳＴ２０４）。
【０１３４】
さらに、制御部３３００は、取得した上記コード情報に基づき、選択ＧＵＩに対応する処理を実行する。これにより、ユーザに処理の実行に基づく新たな画像を表示することができる。
【０１３５】
本実施形態に係るＨＭＤ１００の上記動作により、ユーザは、スイッチ３５を押圧操作することで画像Ｖ１上の所望のＧＵＩに対応する処理の実行を容易に決定することができる。
【０１３６】
また、本実施形態に係るスイッチ３５は、本体２００上の、タッチセンサ３１００ｘ、３１００ｙの近傍に配置することができる。これにより、タッチセンサ３１００ｘ、３１００ｙ上での入力操作と押圧操作とを片手で同時に行える構成とすることができる。したがって、タッチセンサ３１００ｘ、３１００ｙ上での操作性を向上させることができる。
【０１３７】
また、本実施形態の変形例として、以下のような構成も採用することができる。
【０１３８】
（変形例）
図２１は、本実施形態の変形例に係るＨＭＤの要部斜視図である。図２２（Ａ）、（Ｂ）は、いずれも図２１の（ｆ）−（ｆ）方向の断面図であり、（Ａ）はユーザが案内部の第１の面上で指を接触させた態様を示し、（Ｂ）はユーザが第１の面上で指を矢印方向に押し込んだ態様を示す。
【０１３９】
本変形例に係る入力操作部３００Ａは、第１の実施形態と略同一のタッチセンサ３１００Ａｘ、３１００Ａｙと、案内部３２００Ａｘ、３２００Ａｙと、を有する。さらに、入力操作部３００Ａは、スイッチ３５Ａと、複数のスペーサ３６と、を有する。複数のスペーサ３６は、本体２のテンプル部５１とタッチセンサ３１００Ａｘとの間に間隙Ｓを形成するように配置される。スイッチ３５Ａは、間隙Ｓに配置され、タッチセンサ３１００Ａｘ及び案内部３２００Ａｘを介して押圧可能に構成される。なお、図２２では、案内部３２００Ａｘの第１の面３２１０Ａｘにおける断面図を示している。
【０１４０】
間隙Ｓは、ｚ軸方向に対向するテンプル部５１とタッチセンサ３１００Ａｘとの間に形成される。間隙Ｓがテンプル部５１とｚ軸方向に対向する距離は特に制限されず、スイッチ３５Ａの構成に応じて適宜設定することができる。
【０１４１】
複数のスペーサ３６の配置は特に限られないが、例えば図２２（Ｂ）のように、タッチセンサ３１００Ａｘのｘ軸方向の両端部付近にそれぞれ配置されてもよい。
【０１４２】
スイッチ３５Ａは、スイッチ３５と同様の構成とすることができる。すなわち、スイッチ３５Ａは、例えばｚ軸方向に押圧されることにより、押圧信号を制御部３３００に出力することが可能に構成される。なお、スイッチ３５Ａの配置は特に限られない。例えば、タッチセンサ３１００Ａｙとテンプル部５１との間に配置されてもよいし、複数のスイッチ３５Ａを含み、タッチセンサ３１００Ａｘとテンプル部５１との間に複数配置されてもよい。また、タッチセンサ３１００Ａｘ、３１００Ａｙとテンプル部５１との間にそれぞれ配置されることも可能である。
【０１４３】
案内部３２００Ａｘ上からスイッチ３５Ａを押圧可能とするために、以下のような構成を採用することができる。例えば、複数のスペーサ３６が、案内部３２００Ａｘ上からの押圧によって、ｚ軸方向に弾性変形可能に構成されてもよい。この場合、複数のスペーサ３６の材料としては、例えば、合成樹脂、ゴム等の弾性材料等で形成される。これにより、スイッチ３５Ａの配置及び案内部３２００Ａｘ上の押圧位置に限られず、タッチセンサ３１００Ａｘ及び案内部３２００Ａｘが全体としてｚ軸方向に沈み込み、スイッチ３５Ａを押圧することが可能となる。
【０１４４】
また、案内部３２００Ａｘの第１の面３２１０Ａｘ、第２の面３２２０Ａｘが、所定以上の押圧に対して撓み変形が可能な材料等で形成されてもよい。このような材料として、例えば、アクリル樹脂、ポリカーボネート樹脂、ＰＥＴ（ポリエチレンテレフタレート）等の透明プラスチック板、ガラス板、セラミックス板等が採用される。この場合、複数のスペーサ３６の材料は上記弾性材料に限られない。
【０１４５】
上記構成の入力操作部３００Ａによっても、タッチセンサ３１００Ａｘ、３１００Ａｙ上での操作性を確保しつつ、押圧操作を可能な構成とすることができる。
【０１４６】
また、図２３は、本実施形態の変形例に係るタッチセンサ、案内部及びスイッチを示す図であり、（Ａ）は平面図、（Ｂ）は（Ａ）の（ｇ）−（ｇ）方向の断面図である。本変形例に係るスイッチ３５Ｂｘは、タッチセンサ３１００Ｂｘ上にｘ軸方向に沿って延在する２つの突部３２３０Ｂｘで構成される。
【０１４７】
タッチセンサ３１００Ｂｘは、例えば第１の実施形態と同様に、ｘ軸方向に所定間隔で配列され、タッチセンサ３１００Ｂｘのｙ軸方向の幅と略同一に形成される複数の第１の電極を有する。
【０１４８】
案内部３２００Ｂｘは、ｘ軸方向に延在する第１の面３２１０Ｂｘと、第１の面３２１０Ｂｘからｚ軸方向に突出し第１の面３２１０Ｂｘを挟んでｘ軸方向に沿って延在する２つの突部３２３０Ｂｘと、２つの突部３２３０Ｂｘの頂面をそれぞれ構成する２つの第２の面３２２０Ｂｘと、を有する。第１の面３２１０Ｂｘと２つの第２の面３２２０Ｂｘとは、突部３２３０Ｂｘを介して段差が形成される。また、これらの面の境界、すなわち２つの突部３２３０Ｂｘの縁に沿って、２本の稜線Ｒ１００Ｂｘが形成される。
【０１４９】
２つの突部３２３０Ｂｘは、スイッチ３５と同様に、ｚ軸方向に押圧可能に形成され、押圧信号を制御部３３００に出力することが可能に構成される。例えば突部３２３０Ｂｘは、外部からの押圧操作により接触可能な２つの接点を有してもよいし、ｚ軸方向に相互に対向する一対の電極間の静電容量の変化により押圧操作を検出する容量素子で構成されてもよい。突部３２３０Ｂｘは、電気絶縁性の材料、例えば、ポリカーボネート樹脂、ＰＥＴ（ポリエチレンテレフタレート）等のプラスチック、ゴム材料等の弾性体、ガラス、セラミックス等で構成される。
【０１５０】
なお、タッチセンサ３１００Ｂｘのｙ軸方向に沿った幅は、図２３のように、例えば案内部３２００Ｂｘの幅と略同一でもよい。これにより、突部３２３０Ｂｘの第２の面３２２０Ｂｘ上での接触を検出可能な構成とすることができる。あるいは、第２の実施形態に係るタッチセンサ３１Ｂｘと同様に、第１の面３２１０Ｂｘの幅と同一に形成され、第１の面３２１０Ｂｘにのみに対応して配置されることも可能である。
【０１５１】
本変形例では、突部３２３０Ｂｘが第１の案内部を兼ねた構成となっている。これにより、ユーザは、突部３２３０Ｂｘに形成される稜線Ｒ１００Ｂｘを触知することで、タッチセンサ３１００Ｂｘの位置、ｘ軸方向等を認識することが可能となる。したがって、ユーザは、タッチセンサ３１００Ｂｘ上で所望のＧＵＩ等を選択することができ、かつ、突部３１３０Ｂｘを押圧操作することで、ＨＭＤに当該ＧＵＩ等に応じた処理の決定を実行させることが可能となる。
【０１５２】
＜第７の実施形態＞
図２４は、本技術の第７の実施形態に係るＨＭＤを示す模式的な要部斜視図である。本実施形態では、第１の実施形態の構成および作用と同様な部分についてはその説明を省略または簡略化し、第１の実施形態と異なる部分を中心に説明する。
【０１５３】
本実施形態では、第１の検出素子（タッチセンサ）３１Ｈｘｙが、ｘ軸方向及びｙ軸方向に沿ったユーザの指の接触あるいは近接位置を静電的に検出する二次元の静電センサで構成される。タッチセンサ３１Ｈｘｙは、テンプル部５１の表面に配置され、例えばｚ軸方向に厚みを有する矩形の薄板状に形成される。また図示せずとも、ｘ軸方向に所定間隔で配列されたｘ位置検出用の複数の第１の電極と、ｙ軸方向に所定間隔で配列されたｙ位置検出用の複数の第２の電極と、を有する。
【０１５４】
案内部３２Ｈｘｙは、タッチセンサ３１Ｈｘｙ上に配置され、ｘ軸方向及びｙ軸方向にそれぞれ所定間隔で配列された格子状に形成される第１の面３２１Ｈｘｙと、第１の面３２１Ｈｘｙから沈降する複数の第２の面３２２Ｈｘｙと、を有する。すなわち第１の面３２１Ｈｘｙは、案内部３２Ｈｘｙの表面に格子状に形成された突起の頂面に相当する。また、複数の第２の面３２２Ｈｘｙは、第１の面３２１Ｈｘｙに囲まれて形成され所定間隔でｘ軸方向及びｙ軸方向に配列する複数の溝の底面に相当する。複数の稜線は、第１の面３２１Ｈｘｙの縁に沿って、第１の面３２１Ｈｘｙと第２の面３２２Ｈｘｙとの境界に形成される。
【０１５５】
なお、案内部３２Ｈｘｙの構成は上記に限られず、例えば、第２の面３２２Ｈｘｙが第１の面３２１Ｆｘから突出しており、稜線が第２の面３２２Ｈｘｙの縁に形成される構成とすることも可能である。
【０１５６】
以上より、本実施形態に係るＨＭＤ１Ｈは、１個のタッチセンサ３１Ｈｘｙでユーザのｘｙ平面上での二次元的な動き等を検出することができ、低コストに製造することが可能となる。また、案内部３２Ｈｘｙを上記構成とすることで、タッチセンサ３１Ｈｘｙが２次元タッチセンサであっても、ユーザにタッチセンサの配置、形状等を把握させることが可能となる。さらに、ｘ軸方向及びｙ軸方向に所定感覚で稜線が配置されるため、ユーザが稜線を触知することでタッチセンサ３１Ｈｘｙ上での相対的な移動距離も把握することができ、高い操作性を実現することができる。
【０１５７】
以上、本技術の実施形態について説明したが、本技術はこれに限定されることはなく、本技術の技術的思想に基づいてさらに種々の変形が可能である。
【０１５８】
例えば、図２５、図２６は、本技術の一実施形態に係る変形例を説明する図である。本変形例では、タッチセンサ３１Ｆｘ上の２点以上の接触位置をそれぞれ検出することが可能に構成されている。これにより、画像Ｖ１１、Ｖ１２を拡大または縮小させる、いわゆる「ピンチズーム」の操作を行うことが可能となる。
【０１５９】
例えば、図２５（Ａ）のように、ユーザが案内部３２Ｆｘ上で２本の指を接触させつつこれらの距離を広げた場合、図２５（Ｂ）のように、検出された距離及びその変化に応じて、画像Ｖ１１を拡大することが可能となる。一方、図２６（Ａ）のように、ユーザが案内部３２Ｆｘ上で２本の指を接触させつつこれらの距離を狭めた場合、図２６（Ｂ）のように、検出された距離及びその変化に応じて、画像Ｖ１２を縮小することが可能となる。
【０１６０】
以上のように、上記変形例によれば、案内部３２Ｆｘ及び入力操作を行う手元を視認することなく画像の表示領域を変化させることが可能となる。さらに、案内部３２Ｅｘが稜線ＲＦｘを有することにより、ユーザは、ｘ軸方向に沿ったピンチズーム操作を容易に行うことができる。
【０１６１】
また、本変形例は、ｙ軸方向に延在するタッチセンサ（図示せず）の２点以上の接触位置をそれぞれ検出することが可能に構成されてもよい。また、ｘ軸方向及びｙ軸方向にそれぞれ延在するタッチセンサのそれぞれがピンチズーム操作を可能に構成されてもよい。これにより、より多様な操作が可能なＨＭＤを提供することができる。また、本変形例に係る入力操作部は、タッチセンサ３１Ｆｘ上の２点以上の接触位置をそれぞれ検出することが可能であれば、第１〜第６の実施形態に係るＨＭＤのいずれにも適用することが可能である。
【０１６２】
また、図２７、図２８は、本技術の一実施形態に係る変形例を説明する図である。本変形例は、タッチセンサ３１Ｇｘ上の入力操作によって、画像Ｖ２上に多数配列されたアイコンの選択を行うことが可能に構成されている。画像Ｖ２は、例えば、ＨＭＤの各種設定のメニュー選択画像であってもよく、また、映像コンテンツを選択するためのサムネイル画像等であってもよい。
【０１６３】
例えば、図２７（Ｂ）、図２８（Ｂ）のように、ユーザに提示される画像Ｖ２上にはＸ軸方向及びＹ軸方向にそれぞれ複数のアイコンが配列されている。ユーザが案内部３２Ｇｘ上の所定の操作位置ｑ１に指を接触させた場合（図２７（Ａ））、ユーザにはアイコンＱ１が選択された操作画像Ｖ２１が提示される（図２７（Ｂ））。さらに、ユーザが案内部３２Ｇｘ上の所定の操作位置ｑ２までｘ軸方向に指を接触しつつ移動させた場合（図２８（Ａ））、画像Ｖ２上において、例えば、アイコンＱ１から当該移動量に応じてＸ軸方向に離間した座標位置に配置される所定のアイコンＱ２が選択される。これにより、ユーザには、アイコンＱ２が選択された操作画像Ｖ２２が提示される（図２８（Ｂ））。
【０１６４】
以上のように、本変形例によって、多数のアイコンから所望の機能等に対応するアイコンを選択することが可能となる。また、本変形例に係るＨＭＤにおいても、所望のアイコン上でタップ操作、スイッチの押圧等を行うことで、当該アイコンに対応する処理の実行の決定が可能に構成されてもよい。なお、本変形例に係る入力操作部は、第１〜第６の実施形態に係るＨＭＤのいずれにも適用することが可能である。
【０１６５】
図２９は、第５の実施形態に係る変形例を示す図である。本変形例に係るタッチセンサ３１０Ｆｘ及び案内部３２０Ｆｘは、光学部材４１の外表面上に配置されている。この場合、案内部３２０Ｆｘは、ポリカーボネート樹脂、ＰＥＴ（ポリエチレンテレフタレート）等の透明プラスチック板、ガラス板、セラミックス板等の透過性材料で形成し、かつタッチセンサ３１０Ｆｘの第１の電極を例えばＩＴＯ電極等の透明電極で形成することにより、全体として透過性を有する構成とすることができる。これにより、本実施形態のＨＭＤ１０Ｆは、タッチセンサ３１０Ｆｘ及び案内部３２０Ｆｘを光学部材４１上に配置しても、透過性のＨＭＤ１０Ｆとして構成することが可能となる。
【０１６６】
また、このような構成のＨＭＤ１０Ｆは、タッチセンサ３１０Ｆｘをリム部５２に沿って配置されることにより、リム部５２の縁を第１の案内部とすることが可能である。このことから、ＨＭＤ１０Ｆは、第１の案内部を設けつつ、簡易な構成とすることができる。
【０１６７】
以上の実施形態において、例えばタッチセンサ３１ｘは、ｘ軸方向に長手方向、ｙ軸方向に幅方向、ｚ軸方向に厚み方向を有する１枚の薄板状に形成されると説明したが、これに限られない。例えば、第１の面３２１ｘ及び２つの第２の面３２２ｘにそれぞれ対応する３枚のタッチセンサ３１ｘを有する構成とすることも可能である。これにより、第２の面３２２ｘとタッチセンサ３１ｘとの距離が近接し、より接触を検出しやすい構成とすることができる。
【０１６８】
また、第１の実施形態において、第１の案内部３２ｘが第２の面３２２ｘの縁に沿って形成される２つの稜線Ｒｘを含むと説明したが、これに限られない。例えば、第１の面と第２の面とが滑らかな曲面で連接しており、第１の案内部が当該曲面を含む構成とすることが可能である。これによっても、ユーザにタッチセンサの配置及び延在方向を認識させ、ＨＭＤの操作性を高めることが可能であるとともに、第１の案内部の接触感及び接触時の安全性を高めることが可能となる。
【０１６９】
第３の実施形態において、例えば、複数の第２の面３２２Ｄｘのそれぞれに対応するｘ座標が、図２７（Ｂ）、図２８（Ｂ）で示したユーザに提示される画像上の各アイコンのＸ座標に対応するように構成することもできる。すなわち、第２の面３２２Ｄｘのいずれかと接触することにより、Ｘ軸方向に配列する所定の列のアイコンが選択されるように構成されることができる。同様に、例えば、複数の第２の面３２２Ｄｙのそれぞれに対応する操作位置のｙ座標が、図２７（Ｂ）、図２８（Ｂ）で説明したユーザに提示される画像上の各アイコンのＹ座標に対応するように構成することもできる。このような構成のＨＭＤ１Ｄにより、タッチセンサ３１Ｄｘ、３１Ｄｙ上における入力操作と提示される画像との対応関係が明確となり、ユーザによるアイコンの選択時の操作性を高めることが可能となる。
【０１７０】
なお、タッチセンサ３１Ｄｘは、図１０のように、案内部３２Ｄｘ全体に対応する配置に限られない。例えば、タッチセンサ３１Ｄｘは、複数の第２の面３２２Ｄｘにのみ第１の電極が配列されている構成とすることができる。あるいは、複数の第１の面３２１Ｄｘのみに第１の電極が配列されている構成とすることもできる。
【０１７１】
また、以上の実施形態において、入力操作により選択されたＧＵＩ等に対応する処理の実行を決定するための操作として、タップ操作、あるいはスイッチに対する押圧操作等について説明したが、これらに限られない。例えば、ＨＭＤが、タッチセンサからの検出信号の変化によりタッチセンサ上でのユーザの押し込みを検出するように構成されることも可能である。具体的には、静電容量センサであれば、押し込み操作によってタッチセンサと接触する指等の面積が大きくなるため、静電容量値が通常の接触時よりも大きくなる。これにより、制御部が、一定の閾値以上の静電容量値を検出した場合に、押し込み操作が行われたと判定し、所定の処理を実行するように構成されることができる。
【０１７２】
押し込み量を検出する他の例として、押し込み量を検出するための感圧センサを用いてもよい。例えば感圧センサは、タッチセンサとテンプル部との間に配置されｚ軸方向に対向する１対以上の電極を有し、案内部の撓みによって生じた電極間の静電容量の変化によって接触圧を検出するように構成されてもよい。また、感圧センサとして、上記一対の電極間に弾性体が配置されたものを採用することもできる。この場合、押圧操作に伴う案内部の弾性変形によって生じた電極間の静電容量の変化によって接触圧が検出される。その他にも、感圧センサとして、例えば、圧電素子を用いた圧電センサや、ストレインゲージ等を用いることも可能である。このような感圧センサを配置したＨＭＤによっても、ユーザの意思によって処理の実行を決定することが可能となる。
【０１７３】
また、以上の実施形態において、本体２が表示素子４２等を収容する収容部５３を有すると説明したが、この構成に限られない。例えば、本体は、表示素子等を収容し、フレーム部に取り付けられる筐体を有してもよい。筐体は、例えばテンプル部に取り付けられて、装着時にユーザのこめかみ付近に対向するようそれぞれ配置されることができる。また、筐体は、制御部、記憶部、通信部及びスピーカ等が収容されるように構成されることも可能である。
【０１７４】
以上の実施形態では透過型のＨＭＤとして説明したが、これに限られず、非透過型のＨＭＤとすることも可能である。この場合も、ユーザは、第１及び第２の案内部を触知しつつ案内部上の操作を行うことによって、手元を見ずとも円滑な入力操作が可能となる。
【０１７５】
なお、本技術は以下のような構成も採ることができる。
（１）画像をユーザに提示するように構成された表示部を有し、ユーザの頭部に装着可能に構成された本体と、
第１の軸方向に延在し上記本体に配置され、上記第１の軸方向における操作位置を静電的に検出する第１の検出素子と、ユーザの上記第１の検出素子上での上記第１の軸方向に沿った入力操作を誘導する第１の案内部と、を有し、上記画像を制御するための入力操作部と
を具備するヘッドマウントディスプレイ。
（２）上記（１）に記載のヘッドマウントディスプレイであって、
上記第１の案内部は、上記第１の軸方向に沿って上記第１の検出素子の上に配置される少なくとも１本の稜線を含む
ヘッドマウントディスプレイ。
（３）上記（２）に記載のヘッドマウントディスプレイであって、
上記第１の案内部は、上記第１の軸方向に沿って延在する第１の面と、上記第１の面から突出し上記第１の面を挟んで上記第１の軸方向に沿って延在する２つの第２の面と、を有し、
上記稜線は、上記第１の面と上記２つの第２の面との境界にそれぞれ形成される２本の稜線を含む
ヘッドマウントディスプレイ。
（４）上記（２）に記載のヘッドマウントディスプレイであって、
上記第１の案内部は、上記第１の軸方向に沿って延在する第１の面と、上記第１の面から沈降し上記第１の面を挟んで上記第１の軸方向に沿って延在する２つの第２の面と、を有し、
上記稜線は、上記第１の面と上記２つの第２の面との境界にそれぞれ形成される２本の稜線を含む
ヘッドマウントディスプレイ。
（５）上記（１）に記載のヘッドマウントディスプレイであって、
上記第１の案内部は、上記第１の軸方向に沿って配列された複数の第１の面と、上記複数の第１の面から突出し上記第１の軸方向に沿って上記複数の第１の面と交互に配置された複数の第２の面とを有し、
上記第１の案内部は、上記複数の第２の面と上記複数の第１の面との境界にそれぞれ形成される複数の稜線を含む
ヘッドマウントディスプレイ。
（６）上記（１）から（５）のうちいずれか１つに記載のヘッドマウントディスプレイであって、
上記本体は、ユーザの側頭部に配置されるテンプル部を有し、
上記第１の検出素子は、上記テンプル部に配置される
ヘッドマウントディスプレイ。
（７）上記（６）に記載のヘッドマウントディスプレイであって、
上記テンプル部は、上記第１の軸方向に延在する縁部を有し、
上記第１の検出素子は、上記縁部に沿って配置され、
上記第１の案内部は、上記縁部を含む
ヘッドマウントディスプレイ。
（８）上記（１）から（５）のうちいずれか１つに記載のヘッドマウントディスプレイであって、
上記表示部は、上記画像を表示する板状の光学部材を有し、
上記本体は、上記光学部材の周縁を支持するリム部を有し、
上記第１の検出素子は、上記リム部に配置される
ヘッドマウントディスプレイ。
（９）上記（１）から（５）のうちいずれか１つに記載のヘッドマウントディスプレイであって、
上記表示部は、上記画像を表示する板状の光学部材を有し、
上記第１の検出素子は、上記光学部材に配置される
ヘッドマウントディスプレイ。
（１０）上記（１）から（９）のうちいずれか１つに記載のヘッドマウントディスプレイであって、
上記入力操作部は、上記操作位置に対応する上記画像上の座標位置を算出し、上記座標位置に基づいて上記画像上に表示されるポインタの移動を制御する制御部をさらに有する
ヘッドマウントディスプレイ。
（１１）上記（１０）に記載のヘッドマウントディスプレイであって、
上記制御部は、上記座標位置に基づく処理を実行し上記処理結果に応じた画像信号を生成して上記表示部へ出力し、
上記入力操作部は、押圧可能に構成され、上記処理の実行を決定するための押圧信号を上記制御部に出力するスイッチをさらに有する
ヘッドマウントディスプレイ。
（１２）上記（１１）に記載のヘッドマウントディスプレイであって、
上記入力操作部は、上記本体と上記第１の検出素子との間に間隙を形成するように配置される複数のスペーサをさらに有し、
上記スイッチは、上記間隙に配置され、上記第１の検出素子上から押圧可能に構成される
ヘッドマウントディスプレイ。
（１３）上記（１１）に記載のヘッドマウントディスプレイであって、
上記スイッチは、上記第１の検出素子上に上記第１の軸方向に沿って延在する少なくとも１つの突部を有し、
上記第１の案内部は、上記突部に形成される稜線を含む
ヘッドマウントディスプレイ。
（１４）上記（１）から（１３）のうちいずれか１つに記載のヘッドマウントディスプレイであって、
上記入力操作部は、上記第１の軸方向とは異なる第２の軸方向に延在し上記本体に配置され、上記第２の軸方向における操作位置を検出する第２の検出素子と、ユーザの上記第２の検出素子上での上記第２の軸方向に沿った入力操作を誘導する第２の案内部と、をさらに有する
ヘッドマウントディスプレイ。
【符号の説明】
【０１７６】
１，１Ｄ，１Ｅ，１Ｈ，１０，１０Ａ、１０Ｂ，１０Ｃ，１０Ｄ，１０Ｅ，１０Ｆ，１００・・・ＨＭＤ（ヘッドマウントディスプレイ）
２，２Ｅ，２０，２００・・・本体
３，３Ｈ，３０，３００，３００Ａ・・・入力操作部
４・・・表示部
５，５０・・・フレーム部
３１ｘ，３１Ａｘ，３１Ｂｘ，３１Ｃｘ，３１Ｄｘ，３１Ｅｘ，３１Ｆｘ，３１Ｇｘ，３１Ｈｘｙ，３１０ｙ，３１０Ａｘ，３１０Ｂｘ，３１０Ｃｘ，３１０Ｄｘ，３１０Ｅｘ１，３１０Ｅｘ２，３１０Ｆｘ，３１００ｘ，３１００Ａｘ，３１００Ｂｘ・・・第１の検出素子（タッチセンサ）
３１ｙ，３１０Ｃｙ，３１０Ｄｙ，３１０Ｅｙ，３１００ｙ，３１００Ａｙ・・・第２の検出素子（タッチセンサ）
３２ｘ，３２Ａｘ，３２Ｂｘ，３２Ｃｘ，３２Ｄｘ，３２Ｆｘ，３１Ｇｘ，３２Ｈｘｙ，３２０ｙ，３２０Ａｘ，３２０Ｂｘ，３２０Ｃｘ，３２０Ｄｘ，３２０Ｅｘ１，３２０Ｅｘ２，３２０Ｆｘ，３２００ｘ，３２００Ａｘ，３２００Ｂｘ・・・第１の案内部
３２ｙ，３２０Ｃｙ，３２０Ｄｙ，３２０Ｅｙ，３２００ｙ，３２００Ａｙ・・・第２の案内部
３３，３３００・・・制御部
３５，３５Ａ，３５Ｂｘ・・・スイッチ
３６・・・スペーサ
４１・・・光学部材
５１，５１Ｅ・・・テンプル部
５２，５２０・・・リム部
５５Ｅ・・・縁部
３２１ｘ，３２１Ａｘ，３２１Ｂｘ，３２１Ｃｘ，３２１Ｄｘ，３２１Ｈｘｙ，３２１０ｙ，３２１０Ｂｘ・・・第１の面
３２２ｘ，３２２Ａｘ，３２２Ｂｘ，３２２Ｃｘ，３２２Ｄｘ，３２２Ｈｘｙ，３２２０Ｂｘ・・・第２の面
３１３０Ｂｘ・・・突部
Ｒｘ，Ｒｙ，ＲＡｘ，ＲＢｘ，ＲＣｘ，ＲＤｘ，Ｒ１００Ｂｘ・・・稜線
Ｐ・・・ポインタ
Ｓ・・・間隙
【図１】
2013136696.tif 000003
【図２】
2013136696.tif 000004
【図３】
2013136696.tif 000005
【図４】
2013136696.tif 000006
【図５】
2013136696.tif 000007
【図６】
2013136696.tif 000008
【図７】
2013136696.tif 000009
【図８】
2013136696.tif 000010
【図９】
2013136696.tif 000011
【図１０】
2013136696.tif 000012
【図１１】
2013136696.tif 000013
【図１２】
2013136696.tif 000014
【図１３】
2013136696.tif 000015
【図１４】
2013136696.tif 000016
【図１５】
2013136696.tif 000017
【図１６】
2013136696.tif 000018
【図１７】
2013136696.tif 000019
【図１８】
2013136696.tif 000020
【図１９】
2013136696.tif 000021
【図２０】
2013136696.tif 000022
【図２１】
2013136696.tif 000023
【図２２】
2013136696.tif 000024
【図２３】
2013136696.tif 000025
【図２５】
2013136696.tif 000026
【図２６】
2013136696.tif 000027
【図２７】
2013136696.tif 000028
【図２８】
2013136696.tif 000029
【図２４】
2013136696.tif 000030
【図２９】
2013136696.tif 000031
【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
画像をユーザに提示するように構成された表示部を有し、ユーザの頭部に装着可能に構成された本体と、
第１の軸方向に延在し前記本体に配置され、前記第１の軸方向における操作位置を静電的に検出する第１の検出素子と、ユーザの前記第１の検出素子上での前記第１の軸方向に沿った入力操作を誘導する第１の案内部と、を有し、前記画像を制御するための入力操作部と
を具備するヘッドマウントディスプレイ。
【請求項２】
請求項１に記載のヘッドマウントディスプレイであって、
前記第１の案内部は、前記第１の軸方向に沿って前記第１の検出素子の上に配置される少なくとも１本の稜線を含む
ヘッドマウントディスプレイ。
【請求項３】
請求項２に記載のヘッドマウントディスプレイであって、
前記第１の案内部は、前記第１の軸方向に沿って延在する第１の面と、前記第１の面から突出し前記第１の面を挟んで前記第１の軸方向に沿って延在する２つの第２の面と、を有し、
前記稜線は、前記第１の面と前記２つの第２の面との境界にそれぞれ形成される２本の稜線を含む
ヘッドマウントディスプレイ。
【請求項４】
請求項２に記載のヘッドマウントディスプレイであって、
前記第１の案内部は、前記第１の軸方向に沿って延在する第１の面と、前記第１の面から沈降し前記第１の面を挟んで前記第１の軸方向に沿って延在する２つの第２の面と、を有し、
前記稜線は、前記第１の面と前記２つの第２の面との境界にそれぞれ形成される２本の稜線を含む
ヘッドマウントディスプレイ。
【請求項５】
請求項１に記載のヘッドマウントディスプレイであって、
前記第１の案内部は、前記第１の軸方向に沿って配列された複数の第１の面と、前記複数の第１の面から突出し前記第１の軸方向に沿って前記複数の第１の面と交互に配置された複数の第２の面とを有し、
前記第１の案内部は、前記複数の第２の面と前記複数の第１の面との境界にそれぞれ形成される複数の稜線を含む
ヘッドマウントディスプレイ。
【請求項６】
請求項１から５のうちのいずれか１項に記載のヘッドマウントディスプレイであって、
前記本体は、ユーザの側頭部に配置されるテンプル部を有し、
前記第１の検出素子は、前記テンプル部に配置される
ヘッドマウントディスプレイ。
【請求項７】
請求項６に記載のヘッドマウントディスプレイであって、
前記テンプル部は、前記第１の軸方向に延在する縁部を有し、
前記第１の検出素子は、前記縁部に沿って配置され、
前記第１の案内部は、前記縁部を含む
ヘッドマウントディスプレイ。
【請求項８】
請求項１から５のうちのいずれか１項に記載のヘッドマウントディスプレイであって、
前記表示部は、前記画像を表示する板状の光学部材を有し、
前記本体は、前記光学部材の周縁を支持するリム部を有し、
前記第１の検出素子は、前記リム部に配置される
ヘッドマウントディスプレイ。
【請求項９】
請求項１から５のうちのいずれか１項に記載のヘッドマウントディスプレイであって、
前記表示部は、前記画像を表示する板状の光学部材を有し、
前記第１の検出素子は、前記光学部材に配置される
ヘッドマウントディスプレイ。
【請求項１０】
請求項１から９のうちのいずれか１項に記載のヘッドマウントディスプレイであって、
前記入力操作部は、前記操作位置に対応する前記画像上の座標位置を算出し、前記座標位置に基づいて前記画像上に表示されるポインタの移動を制御する制御部をさらに有する
ヘッドマウントディスプレイ。
【請求項１１】
請求項１０に記載のヘッドマウントディスプレイであって、
前記制御部は、前記座標位置に基づく処理を実行し前記処理結果に応じた画像信号を生成して前記表示部へ出力し、
前記入力操作部は、押圧可能に構成され、前記処理の実行を決定するための押圧信号を前記制御部に出力するスイッチをさらに有する
ヘッドマウントディスプレイ。
【請求項１２】
請求項１１に記載のヘッドマウントディスプレイであって、
前記入力操作部は、前記本体と前記第１の検出素子との間に間隙を形成するように配置される複数のスペーサをさらに有し、
前記スイッチは、前記間隙に配置され、前記第１の検出素子上から押圧可能に構成される
ヘッドマウントディスプレイ。
【請求項１３】
請求項１１に記載のヘッドマウントディスプレイであって、
前記スイッチは、前記第１の検出素子上に前記第１の軸方向に沿って延在する少なくとも１つの突部を有し、
前記第１の案内部は、前記突部に形成される稜線を含む
ヘッドマウントディスプレイ。
【請求項１４】
請求項１から１３のうちのいずれか１項に記載のヘッドマウントディスプレイであって、
前記入力操作部は、前記第１の軸方向とは異なる第２の軸方向に延在し前記本体に配置され、前記第２の軸方向における操作位置を検出する第２の検出素子と、ユーザの前記第２の検出素子上での前記第２の軸方向に沿った入力操作を誘導する第２の案内部と、をさらに有する
ヘッドマウントディスプレイ。
【国際調査報告】
2013136696.tif 000032
2013136696.tif 000033